(57)【要約】【課題】本発明の課題は、著作権を無視したコンテンツデータの配信や複製を防止できる、著作権の保護技術を提供することである。【解決手段】本発明に係る配信システム１００は、コンテンツデータをネットワークＮを介して配信する配信装置１と、配信装置１により配信されるコンテンツデータを受信する受信装置２および受信・記録装置５とを備えてなる。配信装置１は、ネットワークＮを介した配信が許諾されるか否かを示す情報をコンテンツデータに付加して配信する。一方、受信装置２および受信・記録装置５は、ネットワークＮを介してコンテンツデータを受信する際に、配信を許諾する情報が付加されたコンテンツデータのみを受信する。【選択図】　　　　　図１
2004139248.tif 000002
【特許請求の範囲】
【請求項１】
コンテンツデータに、通信回線を介した該コンテンツデータの配信が許諾されているか否かを示す情報を付加することを特徴とする情報付加装置。
【請求項２】
コンテンツデータに、通信回線を介した該コンテンツデータの配信が許諾されているか否かを示す情報とともに、該コンテンツデータの複製に関する制限を示す情報を付加することを特徴とする請求項１記載の情報付加装置。
【請求項３】
前記コンテンツデータの複製に関する制限を示す情報は、前記コンテンツデータの複製が制限されないことを示す値と、前記コンテンツデータの複製を一世代に限って許諾することを示す値と、前記コンテンツデータの複製を許諾しないことを示す値と、前記コンテンツデータが複製により生成されたコンテンツデータであって、それ以上の複製を許諾しないことを示す値と、のいずれかの値をとりうる情報であることを特徴とする請求項２記載の情報付加装置。
【請求項４】
前記コンテンツデータに情報を付加する際に、付加すべき情報を電子透かし情報として前記コンテンツデータに埋め込むことを特徴とする請求項１〜３の何れか一項に記載の情報付加装置。
【請求項５】
通信回線を介して配信されたコンテンツデータに、該コンテンツデータの配信を許諾することを示す情報が付加されていることを識別する情報識別手段を備えることを特徴とする情報識別装置。
【請求項６】
通信回線を介して配信されたコンテンツデータに、該コンテンツデータの配信を許諾しないことを示す情報が付加されていることを識別する情報識別手段を備えることを特徴とする情報識別装置。
【請求項７】
通信回線を介して配信されたコンテンツデータに、該コンテンツデータの配信を許諾することを示す情報が付加されていないことを識別する情報識別手段を備えることを特徴とする情報識別装置。
【請求項８】
通信回線を介して配信されたコンテンツデータに、該コンテンツデータの配信を許諾しないことを示す情報が付加されていないことを識別する情報識別手段を備えることを特徴とする情報識別装置。
【請求項９】
前記情報識別手段は、前記コンテンツデータに電子透かし情報として埋め込まれた情報を抽出することによって識別を行うことを特徴とする請求項５〜８の何れか一項に記載の情報識別装置。
【請求項１０】
通信回線を介してコンテンツデータを受信する受信手段と、
前記コンテンツデータに、該コンテンツデータの配信を許諾することを示す情報が付加されていることを識別する情報識別手段と、
前記情報識別手段によって、前記コンテンツデータの配信を許諾することを示す情報が前記コンテンツデータに付加されていると識別された場合、前記受信手段によって当該コンテンツデータを受信させる受信制御手段と、
を備えることを特徴とするデータ受信装置。
【請求項１１】
通信回線を介してコンテンツデータを受信する受信手段と、
前記コンテンツデータに、該コンテンツデータの配信を許諾しないことを示す情報が付加されていることを識別する情報識別手段と、
前記情報識別手段によって、前記コンテンツデータの配信を許諾しないことを示す情報が前記コンテンツデータに付加されていると識別された場合、前記受信手段による当該コンテンツデータの受信を阻止する受信制御手段と、
を備えることを特徴とするデータ受信装置。
【請求項１２】
通信回線を介してコンテンツデータを受信する受信手段と、
前記コンテンツデータに、該コンテンツデータの配信を許諾することを示す情報が付加されていないことを識別する情報識別手段と、
前記情報識別手段によって、前記コンテンツデータの配信を許諾することを示す情報が前記コンテンツデータに付加されていないと識別された場合、前記受信手段による当該コンテンツデータの受信を阻止する受信制御手段と、
を備えることを特徴とするデータ受信装置。
【請求項１３】
通信回線を介してコンテンツデータを受信する受信手段と、
前記コンテンツデータに、該コンテンツデータの配信を許諾しないことを示す情報が付加されていないことを識別する情報識別手段と、
前記情報識別手段によって、前記コンテンツデータの配信を許諾しないことを示す情報が前記コンテンツデータに付加されていないと識別された場合、前記受信手段による当該コンテンツデータの受信を阻止する受信制御手段と、
を備えることを特徴とするデータ受信装置。
【請求項１４】
前記受信制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合に、前記受信手段によって前記コンテンツデータを受信させることを特徴とする請求項１０〜１３の何れか一項に記載のデータ受信装置。
【請求項１５】
通信回線を介して受信したコンテンツデータを出力する出力手段と、
前記コンテンツデータに、該コンテンツデータの配信を許諾することを示す情報が付加されていることを識別する情報識別手段と、
前記情報識別手段によって、前記コンテンツデータの配信を許諾することを示す情報が前記コンテンツデータに付加されていると識別された場合、前記出力手段によって当該コンテンツデータを出力させる出力制御手段と、
を備えることを特徴とするデータ出力装置。
【請求項１６】
通信回線を介して受信したコンテンツデータを出力する出力手段と、
前記コンテンツデータに、該コンテンツデータの配信を許諾しないことを示す情報が付加されていることを識別する情報識別手段と、
前記情報識別手段によって、前記コンテンツデータの配信を許諾しないことを示す情報が前記コンテンツデータに付加されていると識別された場合、前記出力手段による当該コンテンツデータの出力を阻止する出力制御手段と、
を備えることを特徴とするデータ出力装置。
【請求項１７】
通信回線を介して受信したコンテンツデータを出力する出力手段と、
前記コンテンツデータに、該コンテンツデータの配信を許諾することを示す情報が付加されていないことを識別する情報識別手段と、
前記情報識別手段によって、前記コンテンツデータの配信を許諾することを示す情報が前記コンテンツデータに付加されていないと識別された場合、前記出力手段による当該コンテンツデータの出力を阻止する出力制御手段と、
を備えることを特徴とするデータ出力装置。
【請求項１８】
通信回線を介して受信したコンテンツデータを出力する出力手段と、
前記コンテンツデータに、該コンテンツデータの配信を許諾しないことを示す情報が付加されていないことを識別する情報識別手段と、
前記情報識別手段によって、前記コンテンツデータの配信を許諾しないことを示す情報が前記コンテンツデータに付加されていないと識別された場合、前記出力手段による当該コンテンツデータの出力を阻止する出力制御手段と、
を備えることを特徴とするデータ出力装置。
【請求項１９】
前記出力制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合にのみ、前記出力手段によって前記コンテンツデータを出力させることを特徴とする請求項１５から１８の何れか一項に記載のデータ出力装置。
【請求項２０】
前記出力手段による出力は、前記コンテンツデータを再生、若しくは記録するための出力であることを特徴とする請求項１５から１９のいずれかに記載のデータ出力装置。
【請求項２１】
通信回線を介して受信したコンテンツデータを記録する記録手段と、
前記コンテンツデータに、該コンテンツデータの配信を許諾することを示す情報が付加されていることを識別する情報識別手段と、
前記情報識別手段によって、前記コンテンツデータの配信を許諾することを示す情報が前記コンテンツデータに付加されていると識別された場合、前記記録手段によって当該コンテンツデータを記録させる記録制御手段と、
を備えることを特徴とするデータ記録装置。
【請求項２２】
通信回線を介して受信したコンテンツデータを記録する記録手段と、
前記コンテンツデータに、該コンテンツデータの配信を許諾しないことを示す情報が付加されていることを識別する情報識別手段と、
前記情報識別手段によって、前記コンテンツデータの配信を許諾しないことを示す情報が前記コンテンツデータに付加されていると識別された場合、前記記録手段による当該コンテンツデータの記録を阻止する記録制御手段と、
を備えることを特徴とするデータ記録装置。
【請求項２３】
通信回線を介して受信したコンテンツデータを記録する記録手段と、
前記コンテンツデータに、該コンテンツデータの配信を許諾することを示す情報が付加されていないことを識別する情報識別手段と、
前記情報識別手段によって、前記コンテンツデータの配信を許諾することを示す情報が前記コンテンツデータに付加されていないと識別された場合、前記記録手段による当該コンテンツデータの記録を阻止する記録制御手段と、
を備えることを特徴とするデータ記録装置。
【請求項２４】
通信回線を介して受信したコンテンツデータを記録する記録手段と、
前記コンテンツデータに、該コンテンツデータの配信を許諾しないことを示す情報が付加されていないことを識別する情報識別手段と、
前記情報識別手段によって、前記コンテンツデータの配信を許諾しないことを示す情報が前記コンテンツデータに付加されていないと識別された場合、前記記録手段による当該コンテンツデータの記録を阻止する記録制御手段と、
を備えることを特徴とするデータ記録装置。
【請求項２５】
前記記録制御手段は、前記コンテンツデータに、該コンテンツデータの複製を許諾することを示す情報、若しくは該コンテンツデータの複製を一世代に限って許諾することを示す情報のいずれかの情報が付加されている場合、前記記録手段によって前記コンテンツデータを記録させることを特徴とする請求項２１〜２４の何れか一項に記載のデータ記録装置。
【請求項２６】
通信回線を介してコンテンツデータを配信する配信手段と、
前記コンテンツデータに、該コンテンツデータの配信を許諾することを示す情報が付加されていることを識別する情報識別手段と、
前記情報識別手段によって、前記コンテンツデータの配信を許諾することを示す情報が前記コンテンツデータに付加されていると識別された場合、前記配信手段によって当該コンテンツデータを配信させる配信制御手段と、
を備えることを特徴とする配信装置。
【請求項２７】
通信回線を介してコンテンツデータを配信する配信手段と、
前記コンテンツデータに、該コンテンツデータの配信を許諾しないことを示す情報が付加されていることを識別する情報識別手段と、
前記情報識別手段によって、前記コンテンツデータの配信を許諾しないことを示す情報が前記コンテンツデータに付加されていると識別された場合、前記配信手段による当該コンテンツデータの配信を阻止する配信制御手段と、
を備えることを特徴とする配信装置。
【請求項２８】
通信回線を介してコンテンツデータを配信する配信手段と、
前記コンテンツデータに、該コンテンツデータの配信を許諾することを示す情報が付加されていないことを識別する情報識別手段と、
前記情報識別手段によって、前記コンテンツデータの配信を許諾することを示す情報が前記コンテンツデータに付加されていないと識別された場合、前記配信手段による当該コンテンツデータの配信を阻止する配信制御手段と、
を備えることを特徴とする配信装置。
【請求項２９】
通信回線を介してコンテンツデータを配信する配信手段と、
前記コンテンツデータに、該コンテンツデータの配信を許諾しないことを示す情報が付加されていないことを識別する情報識別手段と、
前記情報識別手段によって、前記コンテンツデータの配信を許諾しないことを示す情報が前記コンテンツデータに付加されていないと識別された場合、前記配信手段による当該コンテンツデータの配信を阻止する配信制御手段と、
を備えることを特徴とする配信装置。
【請求項３０】
前記配信制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合にのみ、前記配信手段によって前記コンテンツデータを配信させることを特徴とする請求項２６〜２９の何れか一項に記載の配信装置。
【請求項３１】
通信回線を介してコンテンツデータを配信する配信装置と、この配信装置と前記通信回線を介して接続されるデータ受信装置とを備えてなる配信システムであって、
前記配信装置は、通信回線を介した配信が許諾されているか否かを示す情報が付加された前記コンテンツデータを配信するものであり、
前記データ受信装置は、
前記通信回線を介してコンテンツデータを受信する受信手段と、
前記コンテンツデータに、該コンテンツデータの配信を許諾することを示す情報が付加されていることを識別する情報識別手段と、
前記情報識別手段によって、前記コンテンツデータの配信を許諾することを示す情報が前記コンテンツデータに付加されていると識別された場合に、前記受信手段によって当該コンテンツデータを受信させる受信制御手段と、
を備えることを特徴とする配信システム。
【請求項３２】
通信回線を介してコンテンツデータを配信する配信装置と、この配信装置と前記通信回線を介して接続されるデータ受信装置とを備えてなる配信システムであって、
前記配信装置は、通信回線を介した配信が許諾されているか否かを示す情報が付加された前記コンテンツデータを配信するものであり、
前記データ受信装置は、
前記通信回線を介してコンテンツデータを受信する受信手段と、
前記コンテンツデータに、該コンテンツデータの配信を許諾しないことを示す情報が付加されていることを識別する情報識別手段と、
前記情報識別手段によって、前記コンテンツデータの配信を許諾しないことを示す情報が前記コンテンツデータに付加されていると識別された場合には、前記受信手段による当該コンテンツデータの受信を阻止する受信制御手段と、
を備えることを特徴とする配信システム。
【請求項３３】
通信回線を介してコンテンツデータを配信する配信装置と、この配信装置と前記通信回線を介して接続されるデータ受信装置とを備えてなる配信システムであって、
前記配信装置は、通信回線を介した配信が許諾されているか否かを示す情報が付加された前記コンテンツデータを配信するものであり、
前記データ受信装置は、
前記通信回線を介してコンテンツデータを受信する受信手段と、
前記コンテンツデータに、該コンテンツデータの配信を許諾することを示す情報が付加されていないことを識別する情報識別手段と、
前記情報識別手段によって、前記コンテンツデータの配信を許諾することを示す情報が前記コンテンツデータに付加されていないと識別された場合には、前記受信手段による当該コンテンツデータの受信を阻止する受信制御手段と、
を備えることを特徴とする配信システム。
【請求項３４】
通信回線を介してコンテンツデータを配信する配信装置と、この配信装置と前記通信回線を介して接続されるデータ受信装置とを備えてなる配信システムであって、
前記配信装置は、通信回線を介した配信が許諾されているか否かを示す情報が付加された前記コンテンツデータを配信するものであり、
前記データ受信装置は、
前記通信回線を介してコンテンツデータを受信する受信手段と、
前記コンテンツデータに、該コンテンツデータの配信を許諾しないことを示す情報が付加されていないことを識別する情報識別手段と、
前記情報識別手段によって、前記コンテンツデータの配信を許諾しないことを示す情報が前記コンテンツデータに付加されていないと識別された場合には、前記受信手段による当該コンテンツデータの受信を阻止する受信制御手段と、
を備えることを特徴とする配信システム。
【請求項３５】
前記データ受信装置が有する前記受信制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合、前記受信手段によって前記コンテンツデータを受信させることを特徴とする請求項３１〜３４の何れか一項に記載の配信システム。
【請求項３６】
前記配信装置が有する配信手段は、前記通信回線を介した配信が許諾されているか否かを示す情報とともに、複製に関する制限を示す情報が付加されたコンテンツデータを配信することを特徴とする請求項３１〜３５の何れか一項に記載の配信システム。
【請求項３７】
前記配信装置が有する配信手段は、前記コンテンツデータの複製に関する制限を示す情報として、前記コンテンツデータの複製が制限されないことを示す値と、前記コンテンツデータの複製を一世代に限って許諾することを示す値と、前記コンテンツデータの複製を許諾しないことを示す値と、前記コンテンツデータが複製により生成されたコンテンツデータであって、それ以上の複製を許諾しないことを示す値と、のいずれかの値をとりうる情報が付加されたコンテンツデータを配信することを特徴とする請求項３６記載の配信システム。
【請求項３８】
前記配信装置が有する配信手段は、付加される情報が電子透かし情報として埋め込まれたコンテンツデータを配信することを特徴とする請求項３１〜３７の何れか一項に記載の配信システム。
【請求項３９】
通信回線を介して送受信可能なコンテンツデータであって、
前記通信回線を介した配信が許諾されているか否かを示す情報が付加されたことを特徴とするコンテンツデータ。
【請求項４０】
前記通信回線を介した配信が許諾されているか否かを示す情報とともに、前記コンテンツデータの複製に関する制限を示す情報が付加されたことを特徴とする請求項３９記載のコンテンツデータ。
【請求項４１】
前記コンテンツデータの複製に関する制限を示す情報は、前記コンテンツデータの複製が制限されないことを示す値と、前記コンテンツデータの複製を一世代に限って許諾することを示す値と、前記コンテンツデータの複製を許諾しないことを示す値と、前記コンテンツデータが複製により生成されたコンテンツデータであって、それ以上の複製を許諾しないことを示す値と、のいずれかの値をとりうる情報であることを特徴とする請求項４０記載のコンテンツデータ。
【請求項４２】
付加された情報が電子透かし情報として埋め込まれていることを特徴とする請求項３９〜４１の何れか一項に記載のコンテンツデータ。
【請求項４３】
コンピュータに、
通信回線を介したコンテンツデータの配信が許諾されているか否かを示す情報をコンテンツデータに付加する情報付加機能を実現させるためのプログラム。
【請求項４４】
コンピュータに、
通信回線を介して配信されたコンテンツデータに、該コンテンツデータの配信を許諾することを示す情報が付加されていることを識別する情報識別機能を実現させるためのプログラム。
【請求項４５】
コンピュータに、
通信回線を介して配信されたコンテンツデータに、該コンテンツデータの配信を許諾しないことを示す情報が付加されていることを識別する情報識別機能を実現させるためのプログラム。
【請求項４６】
コンピュータに、
通信回線を介して配信されたコンテンツデータに、該コンテンツデータの配信を許諾することを示す情報が付加されていないことを識別する情報識別機能を実現させるためのプログラム。
【請求項４７】
コンピュータに、
通信回線を介して配信されたコンテンツデータに、該コンテンツデータの配信を許諾しないことを示す情報が付加されていないことを識別する情報識別機能を実現させるためのプログラム。
【発明の詳細な説明】
【０００１】
【発明の属する技術分野】
本発明は、コンテンツデータに情報を付加する情報付加装置、コンテンツデータに付加された情報を識別する情報識別装置、通信回線を介してコンテンツデータを受信するデータ受信装置、通信回線を介して配信されたコンテンツデータを出力するデータ出力装置、通信回線を介して配信されたコンテンツデータを記録するデータ記録装置、通信回線を介してコンテンツデータを配信する配信装置、これら装置を含んでなる配信システム、通信回線を介して配信可能なコンテンツデータ及び上記装置の制御プログラムに関する。
【０００２】
【従来の技術】
近年、広帯域の通信回線が普及するにつれて、画像や音声等のいわゆるコンテンツデータが、ネットワークを経由して送受信される機会が増えつつある。特に、デジタル化されたコンテンツデータは、複製によって画質や音質の劣化を生じないため、ネットワークを経由して流通させるには好適である。
【０００３】
また、インターネット等のネットワークを介して不特定多数の端末装置に配信されたコンテンツ等の著作権侵害行為を抑制する装置として、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置がある（例えば、特許文献１参照。）。
【０００４】
【特許文献１】
特開２００１−１８８５４９号公報
【０００５】
【発明が解決しようとする課題】
しかしながら、ネットワークを経由してコンテンツデータが流通すると、コンテンツデータが無制限に複製されてしまうという問題があった。
すなわち、ネットワークを経由してコンテンツデータを送信する場合、送信側のユーザが所持していたコンテンツデータを消去することは少ない。このため、送信側のユーザだけが保持していたコンテンツデータを、送信側および受信側の両ユーザが保持することとなり、結果的に複製されたことになってしまう。このような行為がインターネットのようなオープンなネットワークを介して行われると、実質的に、無制限にコンテンツデータが複製されてしまう。
【０００６】
本来、映像や音楽等の創作物については著作権が認められており、著作権者の意図を無視して複製されたり、公開されたりするべきではない。
ところが、インターネットの普及により、著作権に留意することなく安易にコンテンツデータを複製し、或いは公開する例が後を絶たない。そして、ネットワークを経由した送受信により複製されたコンテンツデータは、記録メディアに記録されることで長期の保存と流通が可能となってしまい、さらなる著作権の侵害が懸念されていた。このため、特にネットワークを経由したコンテンツデータの流通について、著作権を保護する技術が求められていた。
また、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置では、帯域毎のフィルタ処理や検出処理等の処理が複雑になるという問題があった。
【０００７】
本発明の課題は、著作権を無視したコンテンツデータの配信や複製を防止できる、著作権の保護技術を提供することである。
【０００８】
【課題を解決するための手段】
以上の課題を解決するため、請求項１記載の発明の情報付加装置は、コンテンツデータに、通信回線を介した該コンテンツデータの配信が許諾されているか否かを示す情報を付加することを特徴としている。
【０００９】
更に、請求項２記載の発明の情報付加装置において、前記コンテンツデータに、通信回線を介した該コンテンツデータの配信が許諾されているか否かを示す情報とともに、該コンテンツデータの複製に関する制限を示す情報を付加することが効果的である。
【００１０】
更に、請求項３記載の発明の情報付加装置において、前記コンテンツデータの複製に関する制限を示す情報は、前記コンテンツデータの複製が制限されないことを示す値と、前記コンテンツデータの複製を一世代に限って許諾することを示す値と、前記コンテンツデータの複製を許諾しないことを示す値と、前記コンテンツデータが複製により生成されたコンテンツデータであって、それ以上の複製を許諾しないことを示す値と、のいずれかの値をとりうる情報であることが効果的である。
【００１１】
更に、請求項４記載の発明の情報付加装置において、前記コンテンツデータに情報を付加する際に、付加すべき情報を電子透かし情報として前記コンテンツデータに埋め込むことが効果的である。
【００１２】
更に、請求項５記載の発明の情報識別装置は、通信回線を介して配信されたコンテンツデータに、該コンテンツデータの配信を許諾することを示す情報が付加されていることを識別する情報識別手段を備えることを特徴としている。
【００１３】
更に、請求項６記載の発明の情報識別装置は、通信回線を介して配信されたコンテンツデータに、該コンテンツデータの配信を許諾しないことを示す情報が付加されていることを識別する情報識別手段を備えることを特徴としている。
【００１４】
更に、請求項７記載の発明の情報識別装置は、通信回線を介して配信されたコンテンツデータに、該コンテンツデータの配信を許諾することを示す情報が付加されていないことを識別する情報識別手段を備えることを特徴としている。
【００１５】
更に、請求項８記載の発明の情報識別装置は、通信回線を介して配信されたコンテンツデータに、該コンテンツデータの配信を許諾しないことを示す情報が付加されていないことを識別する情報識別手段を備えることを特徴としている。
【００１６】
更に、請求項９記載の発明の情報識別装置において、前記情報識別手段は、前記コンテンツデータに電子透かし情報として埋め込まれた情報を抽出することによって識別を行うことが効果的である。
【００１７】
更に、請求項１０記載の発明のデータ受信装置は、通信回線を介してコンテンツデータを受信する受信手段と、前記コンテンツデータに、該コンテンツデータの配信を許諾することを示す情報が付加されていることを識別する情報識別手段と、前記情報識別手段によって、該コンテンツデータの配信を許諾することを示す情報が前記コンテンツデータに付加されていると識別された場合に、前記受信手段によって前記コンテンツデータを受信させる受信制御手段と、を備えることを特徴としている。
【００１８】
更に、請求項１１記載の発明のデータ受信装置は、通信回線を介してコンテンツデータを受信する受信手段と、前記コンテンツデータに、該コンテンツデータの配信を許諾しないことを示す情報が付加されていることを識別する情報識別手段と、前記情報識別手段によって、該コンテンツデータの配信を許諾しないことを示す情報が前記コンテンツデータに付加されていると識別された場合には、前記受信手段による前記コンテンツデータの受信を阻止する受信制御手段と、を備えることを特徴としている。
【００１９】
更に、請求項１２記載の発明のデータ受信装置は、通信回線を介してコンテンツデータを受信する受信手段と、前記コンテンツデータに、該コンテンツデータの配信を許諾することを示す情報が付加されていないことを識別する情報識別手段と、前記情報識別手段によって、該コンテンツデータの配信を許諾することを示す情報が前記コンテンツデータに付加されていないと識別された場合には、前記受信手段による前記コンテンツデータの受信を阻止する受信制御手段と、を備えることを特徴としている。
【００２０】
更に、請求項１３記載の発明のデータ受信装置は、通信回線を介してコンテンツデータを受信する受信手段と、前記コンテンツデータに、該コンテンツデータの配信を許諾しないことを示す情報が付加されていないことを識別する情報識別手段と、前記情報識別手段によって、該コンテンツデータの配信を許諾しないことを示す情報が前記コンテンツデータに付加されていないと識別された場合には、前記受信手段による前記コンテンツデータの受信を阻止する受信制御手段と、を備えることを特徴としている。
【００２１】
更に、請求項１４記載の発明のデータ受信装置において、前記受信制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合にのみ、前記受信手段によって前記コンテンツデータを受信させることが効果的である。
【００２２】
更に、請求項１５記載の発明のデータ出力装置は、通信回線を介して受信したコンテンツデータを出力する出力手段と、前記コンテンツデータに、該コンテンツデータの配信を許諾することを示す情報が付加されていることを識別する情報識別手段と、前記情報識別手段によって、該コンテンツデータの配信を許諾することを示す情報が前記コンテンツデータに付加されていると識別された場合に、前記出力手段によって前記コンテンツデータを出力させる出力制御手段と、を備えることを特徴としている。
【００２３】
更に、請求項１６記載の発明のデータ出力装置は、通信回線を介して受信したコンテンツデータを出力する出力手段と、前記コンテンツデータに、該コンテンツデータの配信を許諾しないことを示す情報が付加されていることを識別する情報識別手段と、前記情報識別手段によって、該コンテンツデータの配信を許諾しないことを示す情報が前記コンテンツデータに付加されていると識別された場合には、前記出力手段による前記コンテンツデータの出力を阻止する出力制御手段と、を備えることを特徴としている。
【００２４】
更に、請求項１７記載の発明のデータ出力装置は、通信回線を介して受信したコンテンツデータを出力する出力手段と、前記コンテンツデータに、該コンテンツデータの配信を許諾することを示す情報が付加されていないことを識別する情報識別手段と、前記情報識別手段によって、該コンテンツデータの配信を許諾することを示す情報が前記コンテンツデータに付加されていないと識別された場合には、前記出力手段による前記コンテンツデータの出力を阻止する出力制御手段と、を備えることを特徴としている。
【００２５】
更に、請求項１８記載の発明のデータ出力装置は、通信回線を介して受信したコンテンツデータを出力する出力手段と、前記コンテンツデータに、該コンテンツデータの配信を許諾しないことを示す情報が付加されていないことを識別する情報識別手段と、前記情報識別手段によって、該コンテンツデータの配信を許諾しないことを示す情報が前記コンテンツデータに付加されていないと識別された場合には、前記出力手段による前記コンテンツデータの出力を阻止する出力制御手段と、を備えることを特徴としている。
【００２６】
更に、請求項１９記載の発明のデータ出力装置において、前記出力制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合にのみ、前記出力手段によって前記コンテンツデータを出力させることが効果的である。
【００２７】
更に、請求項２０記載の発明のデータ出力装置において、前記出力手段による出力は、前記コンテンツデータを再生、若しくは記録するための出力であることが効果的である。
【００２８】
更に、請求項２１記載の発明のデータ記録装置は、通信回線を介して受信したコンテンツデータを記録する記録手段と、前記コンテンツデータに、該コンテンツデータの配信を許諾することを示す情報が付加されていることを識別する情報識別手段と、前記情報識別手段によって、該コンテンツデータの配信を許諾することを示す情報が前記コンテンツデータに付加されていると識別された場合に、前記記録手段によって前記コンテンツデータを記録させる記録制御手段と、を備えることを特徴としている。
【００２９】
更に、請求項２２記載の発明のデータ記録装置は、通信回線を介して受信したコンテンツデータを記録する記録手段と、前記コンテンツデータに、該コンテンツデータの配信を許諾しないことを示す情報が付加されていることを識別する情報識別手段と、前記情報識別手段によって、該コンテンツデータの配信を許諾しないことを示す情報が前記コンテンツデータに付加されていると識別された場合には、前記記録手段による前記コンテンツデータの記録を阻止する記録制御手段と、を備えることを特徴としている。
【００３０】
更に、請求項２３記載の発明のデータ記録装置は、通信回線を介して受信したコンテンツデータを記録する記録手段と、前記コンテンツデータに、該コンテンツデータの配信を許諾することを示す情報が付加されていないことを識別する情報識別手段と、前記情報識別手段によって、該コンテンツデータの配信を許諾することを示す情報が前記コンテンツデータに付加されていないと識別された場合には、前記記録手段による前記コンテンツデータの記録を阻止する記録制御手段と、を備えることを特徴としている。
【００３１】
更に、請求項２４記載の発明のデータ記録装置は、通信回線を介して受信したコンテンツデータを記録する記録手段と、前記コンテンツデータに、該コンテンツデータの配信を許諾しないことを示す情報が付加されていないことを識別する情報識別手段と、前記情報識別手段によって、該コンテンツデータの配信を許諾しないことを示す情報が前記コンテンツデータに付加されていないと識別された場合には、前記記録手段による前記コンテンツデータの記録を阻止する記録制御手段と、を備えることを特徴としている。
【００３２】
更に、請求項２５記載の発明のデータ記録装置において、前記記録制御手段は、前記コンテンツデータに、該コンテンツデータの複製を許諾することを示す情報、若しくは該コンテンツデータの複製を一世代に限って許諾することを示す情報のいずれかの情報が付加されている場合にのみ、前記記録手段によって前記コンテンツデータを記録させることが効果的である。
【００３３】
更に、請求項２６記載の発明のデータ配信装置は、通信回線を介してコンテンツデータを配信する配信手段と、前記コンテンツデータに、該コンテンツデータの配信を許諾することを示す情報が付加されていることを識別する情報識別手段と、前記情報識別手段によって、該コンテンツデータの配信を許諾することを示す情報が前記コンテンツデータに付加されていると識別された場合に、前記配信手段によって前記コンテンツデータを配信させる配信制御手段と、を備えることを特徴としている。
【００３４】
更に、請求項２７記載の発明のデータ配信装置は、通信回線を介してコンテンツデータを配信する配信手段と、前記コンテンツデータに、該コンテンツデータの配信を許諾しないことを示す情報が付加されていることを識別する情報識別手段と、前記情報識別手段によって、該コンテンツデータの配信を許諾しないことを示す情報が前記コンテンツデータに付加されていると識別された場合には、前記配信手段による前記コンテンツデータの配信を阻止する配信制御手段と、を備えることを特徴としている。
【００３５】
更に、請求項２８記載の発明のデータ配信装置は、通信回線を介してコンテンツデータを配信する配信手段と、前記コンテンツデータに、該コンテンツデータの配信を許諾することを示す情報が付加されていないことを識別する情報識別手段と、前記情報識別手段によって、該コンテンツデータの配信を許諾することを示す情報が前記コンテンツデータに付加されていないと識別された場合には、前記配信手段による前記コンテンツデータの配信を阻止する配信制御手段と、を備えることを特徴としている。
【００３６】
更に、請求項２９記載の発明のデータ配信装置は、通信回線を介してコンテンツデータを配信する配信手段と、前記コンテンツデータに、該コンテンツデータの配信を許諾しないことを示す情報が付加されていないことを識別する情報識別手段と、前記情報識別手段によって、該コンテンツデータの配信を許諾しないことを示す情報が前記コンテンツデータに付加されていないと識別された場合には、前記配信手段による前記コンテンツデータの配信を阻止する配信制御手段と、を備えることを特徴としている。
【００３７】
更に、請求項３０記載の発明の配信装置において、前記配信制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合にのみ、前記配信手段によって前記コンテンツデータを配信させることが効果的である。
【００３８】
更に、請求項３１記載の発明は、通信回線を介してコンテンツデータを配信する配信装置と、この配信装置と前記通信回線を介して接続されるデータ受信装置とを備えてなる配信システムであって、前記配信装置は、通信回線を介した配信が許諾されているか否かを示す情報が付加された前記コンテンツデータを配信するものであり、前記データ受信装置は、前記通信回線を介してコンテンツデータを受信する受信手段と、前記コンテンツデータに、該コンテンツデータの配信を許諾することを示す情報が付加されていることを識別する情報識別手段と、前記情報識別手段によって、該コンテンツデータの配信を許諾することを示す情報が前記コンテンツデータに付加されていると識別された場合に、前記受信手段によって前記コンテンツデータを受信させる受信制御手段と、を備えることを特徴としている。
【００３９】
更に、請求項３２記載の発明は、通信回線を介してコンテンツデータを配信する配信装置と、この配信装置と前記通信回線を介して接続されるデータ受信装置とを備えてなる配信システムであって、前記配信装置は、通信回線を介した配信が許諾されているか否かを示す情報が付加された前記コンテンツデータを配信するものであり、前記データ受信装置は、前記通信回線を介してコンテンツデータを受信する受信手段と、前記コンテンツデータに、該コンテンツデータの配信を許諾しないことを示す情報が付加されていることを識別する情報識別手段と、前記情報識別手段によって、該コンテンツデータの配信を許諾しないことを示す情報が前記コンテンツデータに付加されていると識別された場合には、前記受信手段による前記コンテンツデータの受信を阻止する受信制御手段と、を備えることを特徴としている。
【００４０】
更に、請求項３３記載の発明は、通信回線を介してコンテンツデータを配信する配信装置と、この配信装置と前記通信回線を介して接続されるデータ受信装置とを備えてなる配信システムであって、前記配信装置は、通信回線を介した配信が許諾されているか否かを示す情報が付加された前記コンテンツデータを配信するものであり、前記データ受信装置は、前記通信回線を介してコンテンツデータを受信する受信手段と、前記コンテンツデータに、該コンテンツデータの配信を許諾することを示す情報が付加されていないことを識別する情報識別手段と、前記情報識別手段によって、該コンテンツデータの配信を許諾することを示す情報が前記コンテンツデータに付加されていないと識別された場合には、前記受信手段による前記コンテンツデータの受信を阻止する受信制御手段と、を備えることを特徴としている。
【００４１】
更に、請求項３４記載の発明は、通信回線を介してコンテンツデータを配信する配信装置と、この配信装置と前記通信回線を介して接続されるデータ受信装置とを備えてなる配信システムであって、前記配信装置は、通信回線を介した配信が許諾されているか否かを示す情報が付加された前記コンテンツデータを配信するものであり、前記データ受信装置は、前記通信回線を介してコンテンツデータを受信する受信手段と、前記コンテンツデータに、該コンテンツデータの配信を許諾しないことを示す情報が付加されていないことを識別する情報識別手段と、前記情報識別手段によって、該コンテンツデータの配信を許諾しないことを示す情報が前記コンテンツデータに付加されていないと識別された場合には、前記受信手段による前記コンテンツデータの受信を阻止する受信制御手段と、を備えることを特徴としている。
【００４２】
更に、請求項３５記載の発明の配信システムにおいて、前記データ受信装置が有する前記受信制御手段は、前記コンテンツデータに、該コンテンツデータの複製を許諾することを示す情報、該コンテンツデータの複製を一世代に限って許諾することを示す情報、若しくは該コンテンツデータの複製を禁止することを示す情報のいずれかの情報が付加されている場合にのみ、前記受信手段によって前記コンテンツデータを受信させることが効果的である。
【００４３】
更に、請求項３６記載の発明の配信システムにおいて、前記配信装置が有する配信手段は、前記通信回線を介した配信が許諾されているか否かを示す情報とともに、複製に関する制限を示す情報が付加されたコンテンツデータを配信することが効果的である。
【００４４】
更に、請求項３７記載の発明の配信システムにおいて、前記配信装置が有する配信手段は、前記コンテンツデータの複製に関する制限を示す情報として、前記コンテンツデータの複製が制限されないことを示す値と、前記コンテンツデータの複製を一世代に限って許諾することを示す値と、前記コンテンツデータの複製を許諾しないことを示す値と、前記コンテンツデータが複製により生成されたコンテンツデータであって、それ以上の複製を許諾しないことを示す値と、のいずれかの値をとりうる情報が付加されたコンテンツデータを配信することが効果的である。
【００４５】
更に、請求項３８記載の発明の配信システムにおいて、前記配信装置が有する配信手段は、付加される情報が電子透かし情報として埋め込まれたコンテンツデータを配信することが効果的である。
【００４６】
更に、請求項３９記載の発明は、通信回線を介して送受信可能なコンテンツデータであって、前記通信回線を介した配信が許諾されているか否かを示す情報が付加されたことを特徴としている。
【００４７】
更に、請求項４０記載の発明のコンテンツデータにおいて、前記通信回線を介した配信が許諾されているか否かを示す情報とともに、該コンテンツデータの複製に関する制限を示す情報が付加されたことが効果的である。
【００４８】
更に、請求項４１記載の発明のコンテンツデータにおいて、前記コンテンツデータの複製に関する制限を示す情報は、前記コンテンツデータの複製が制限されないことを示す値と、前記コンテンツデータの複製を一世代に限って許諾することを示す値と、前記コンテンツデータの複製を許諾しないことを示す値と、前記コンテンツデータが複製により生成されたコンテンツデータであって、それ以上の複製を許諾しないことを示す値と、のいずれかの値をとりうる情報であることが効果的である。
【００４９】
更に、請求項４２記載の発明のコンテンツデータにおいて、付加された情報が電子透かし情報として埋め込まれていることが効果的ぶある。
【００５０】
更に、請求項４３記載の発明は、コンピュータに、通信回線を介したコンテンツデータの配信が許諾されているか否かを示す情報をコンテンツデータに付加する情報付加機能を実現させるためのプログラムであることを特徴としている。
【００５１】
更に、請求項４４記載の発明は、コンピュータに、通信回線を介して配信されたコンテンツデータに、該コンテンツデータの配信を許諾することを示す情報が付加されていることを識別する情報識別機能を実現させるためのプログラムであることを特徴としている。
【００５２】
更に、請求項４５記載の発明は、コンピュータに、通信回線を介して配信されたコンテンツデータに、該コンテンツデータの配信を許諾しないことを示す情報が付加されていることを識別する情報識別機能を実現させるためのプログラムであることを特徴としている。
【００５３】
更に、請求項４６記載の発明は、コンピュータに、通信回線を介して配信されたコンテンツデータに、該コンテンツデータの配信を許諾することを示す情報が付加されていないことを識別する情報識別機能を実現させるためのプログラムであることを特徴としている。
【００５４】
更に、請求項４７記載の発明は、コンピュータに、通信回線を介して配信されたコンテンツデータに、該コンテンツデータの配信を許諾しないことを示す情報が付加されていないことを識別する情報識別機能を実現させるためのプログラムであることを特徴としている。
【００５５】
【発明の実施の形態】
以下、図１〜図２４を参照して、本発明の実施の形態について説明する。
【００５６】
［第１の実施の形態］
図１は、本発明を適用した第１の実施の形態における配信システム１００の概略構成を示す図である。
図１に示すように、配信システム１００は、ネットワークＮによって互いに接続された配信装置１、受信装置２および受信・記録装置５によって構成される。また、配信システム１００において、受信装置２は、ネットワークＮに接続されない記録装置３及び再生装置４に接続されている。
【００５７】
配信システム１００において、配信装置１は、ネットワークＮを介して受信装置２および受信・記録装置５へコンテンツデータを配信する装置である。
ここで、コンテンツデータとは、映像や音声のデジタルデータであり、本実施の形態では、コンテンツデータとしてデジタル音楽データを配信、再生及び記録する例について説明する。
【００５８】
また、配信システム１００において、受信装置２は、ネットワークＮを介して配信装置１から配信されたデジタル音楽データを受信する装置であり、受信装置２によって受信されたデジタル音楽データは、記録装置３によって記録され、或いは、再生装置４によって再生される。
【００５９】
記録装置３は、記録用メディアドライブ３１を有しており、受信装置２から出力されるデジタル音楽データを、記録用メディアドライブ３１にセットされた記録メディアに記録する装置である。
記録用メディアドライブ３１は、例えば、Ｄ−Ｒ（Ｃｏｍｐａｃｔ　Ｄｉｓｃ−Ｒｅｃｏｒｄａｂｌｅ　）、ＣＤ−ＲＷ（Ｃｏｍｐａｃｔ　Ｄｉｓｃ−ＲｅＷｒｉｔａｂｌｅ　）、ＤＶＤ−Ｒ（Ｄｉｇｉｔａｌ　Ｖｅｒｓａｔｉｌｅ　Ｄｉｓｋ−Ｒｅｃｏｒｄａｂｌｅ）、ＤＶＤ−ＲＡＭ（Ｄｉｇｉｔａｌ　Ｖｅｒｓａｔｉｌｅ　Ｄｉｓｋ−　Ｒａｎｄｏｍ　Ａｃｃｅｓｓ　Ｍｅｍｏｒｙ）等の光ディスク型記録媒体、スマートメディア、コンパクトフラッシュ（登録商標）、ＳＤ（Ｓｅｃｕｒｅ−Ｄｉｇｉｔａｌ）カード、マルチメディアカード、メモリースティック等の半導体メモリデバイスを利用した記録媒体、ハードディスク装置等の磁気記録媒体、或いはこれらの記録媒体を内蔵する機器など、記録可能な媒体や機器にデジタルデータを記録する装置であり、受信装置２から出力されたデジタル音楽データを、上記媒体や機器に記録する。
【００６０】
再生装置４は、受信装置２から出力されるデジタル音楽データを再生する装置であり、図示しないＤ／Ａ（Ｄｉｇｉｔａｌ　ｔｏ　Ａｎａｌｏｇ）コンバータ、アンプ、スピーカ等を備える。
【００６１】
受信・記録装置５は、ネットワークＮを介して配信装置１から配信されたデジタル音楽データを受信するとともに、受信したデジタル音楽データを所定の記録メディアに記録する装置である。
【００６２】
ネットワークＮは、専用線、公衆電話回線、衛星通信回線等の各種通信回線や図示しない各種サーバ等を含んで構成され、その具体的態様は特に限定されない。また、配信装置１１、データ受信・再生装置１３およびデータ受信・記録装置１５の各装置とネットワークＮとの間には、ＩＳＰ（Ｉｎｔｅｒｎｅｔ　Ｓｅｒｖｉｃｅ　Ｐｒｏｖｉｄｅｒ　）やＮＳＰ（Ｎｅｔｗｏｒｋ　Ｓｅｒｖｉｃｅ　Ｐｒｏｖｉｄｅｒ）等が提供するサーバやファイアーウォール、ゲートウェイ装置等の各種機器が介在する構成としても良いが、ここでは図示しない。
【００６３】
ここで、配信システム１００において配信、再生および記録されるデジタル音楽データについて、説明する。
本第１の実施の形態において配信、再生および記録されるデジタル音楽データには、配信許諾情報、および、複製管理情報を含ませることが可能である。
まず、配信許諾情報の構成を、表１に示す。
【表１】
2004139248.tif 000003
【００６４】
表１に示す配信許諾情報は、「０」または「１」の値をとる１ビットの情報であり、この配信許諾情報が付加されたデジタル音楽データの配信が許諾されているか否かを示す情報である。配信許諾情報が「０」の場合、該デジタル音楽データの著作権者等の意向により、該デジタル音楽データについてＥＭＤ（Ｅｌｅｃｔｒｏｎｉｃ　Ｍｕｓｉｃ　Ｄｉｓｔｒｉｂｕｔｉｏｎ）等による配信が許諾されていることを示し、配信許諾情報が「１」の場合、該デジタル音楽データについてＥＭＤ等による配信が許可されていないことを示す
【００６５】
次に、複製管理情報の構成を、表２に示す。
【表２】
2004139248.tif 000004
【００６６】
表２に示す複製管理情報は、「００」，「０１」，「１０」，「１１」の４つの値をとりうる２ビットのデータであり、この複製管理情報が付加されたデジタル音楽データの複製に関する制限を示す情報である。
表２に示すように、値が「００」の複製管理情報は「Ｃｏｐｙ　Ｆｒｅｅ　」を示す。すなわち、値が「００」の複製管理情報が付加されたデジタル音楽データについては、複製は制限されない。
【００６７】
一方、値が「１１」の複製管理情報は「Ｎｅｖｅｒ　Ｃｏｐｙ」を示す。すなわち、値が「１１」の複製管理情報が付加されたデジタル音楽データについては、複製が禁じられる。
【００６８】
さらに、値が「１０」の複製管理情報は「Ｏｎｅ　Ｇｅｎｅｒａｔｉｏｎ　Ｃｏｐｙ　Ｐｅｒｍｉｔｔｅｄ　」を示す。すなわち、値が「１０」の複製管理情報が付加されたデジタル音楽データについては、一世代に限って複製が許諾されている。例えば、値が「１０」の複製管理情報が付加されたデジタル音楽データが記録されたＣＤを所有するユーザが、該デジタル音楽データを複製して他の記録メディアに記録した場合、一世代の複製に該当する。従って、複製されたデジタル音楽データが記録されている記録メディアを所有し、利用することは許諾されているが、該記録メディアからさらに他の記録メディアへデジタル音楽データを複製することは、二世代目の複製に該当するので、許諾されない。
【００６９】
そして、値が「０１」の複製管理情報は「Ｎｏ　Ｍｏｒｅ　Ｃｏｐｙ」を示す。従って、値が「０１」の複製管理情報が付加されたデジタル音楽データについては、それ以上の複製が禁じられる。
上述の通り、値が「１０」の複製管理情報が付加されたデジタル音楽データについては、一世代に限って複製が許諾されている。このため、値が「１０」の複製管理情報が付加されたデジタル音楽データを複製した場合、複製により作成されたデジタル音楽データを、さらに他の記録メディアへ複製することは禁じられている。ところが、デジタル音楽データを複製する際に、デジタル音楽データに付加された複製管理情報ごと複製してしまうと、複製により作成されたデジタル音楽データ中の複製管理情報は「１０」のままであり、もう一世代の複製が可能となってしまう。
【００７０】
そこで、値が「１０」の複製管理情報が付加されたデジタル音楽データを複製する際に、複製管理情報を「１０」から「０１」に書き換えるようにすれば、複製により作成されたデジタル音楽データには、値が「０１」の複製管理情報が付加されたことになり、このデジタル音楽データをさらに複製することは禁じられる。
【００７１】
従って、値が「０１」の複製管理情報は、かつて一世代に限って複製が許諾されていたデジタル音楽データを複製して得られたデジタル音楽データについて、それ以上の複製を禁じることを示す情報であり、値が「１０」の複製管理情報を複製して得られたデジタル音楽データに付加されている。このため、本実施の形態においては、値が「１１」の複製管理情報とは区別して用いる。
【００７２】
このように、表１に示す配信許諾情報、および、表２に示す複製管理情報をデジタル音楽データに含ませることにより、わずかに３ビットの情報によって、各デジタル音楽データについて、配信が許諾されているか否か、複製が許諾されているか否かを明確に宣言することが可能となる。
【００７３】
そして、本発明を適用した第１の実施の形態における配信システム１００において、配信装置１は、デジタル音楽データについて著作権者等により定められた配信の可否および複製の可否に準じて、デジタル音楽データに配信許諾情報および複製管理情報を付加して、ネットワークＮを介して配信する。
【００７４】
受信装置２は、デジタル音楽データに付加されている配信許諾情報および複製管理情報が示す制限に反しない範囲において、デジタル音楽データを受信するとともに、記録装置３によるデジタル音楽データの記録や、再生装置４による再生を行う。また、受信・記録装置５は、デジタル音楽データに付加されている配信許諾情報および複製管理情報が示す制限に反しない範囲において、デジタル音楽データを受信するとともに、デジタル音楽データの記録および再生を行う。
【００７５】
なお、表１および表２に示す配信許諾情報と複製管理情報は、いわゆる「Ｄｉｇｉｔａｌ　Ｗａｔｅｒ　Ｍａｒｋ（電子透かし）」技術によってデジタル音楽データに埋め込まれるものである。電子透かし技術は、従来、Ｉｎｆｏｒｍａｔｉｏｎ　ｈｉｄｉｎｇやＳｔｅｇａｎｏｇｒａｐｈｙ　（情報隠蔽技術）と呼ばれていた技術であり、画像や音声等を表すデジタルデータの中に特定の情報を埋め込むための技術である。
【００７６】
電子透かし技術により埋め込まれた情報は、上記画像や音声を閲覧・再生する通常の手段では発見が困難な状態となり、情報を埋め込んでも、もとのデジタルデータが示す画像や音声には、視覚や聴覚で感じられる程度の変化が現れない。このため、一般消費者による記録・改変は非常に困難である。
ここで、デジタル音楽データに対する電子透かし技術の一例について説明する。
【００７７】
一般に、音楽ＣＤに記録されるデジタル音楽データは、音声のアナログ原信号を標本化周波数４４．１ｋＨｚ　でサンプリングして得られた信号であり、ステレオ音声のＬ・Ｒチャンネルは、それぞれ１６ビットの量子化信号で構成される。すなわち、一般的なデジタル音楽データは、１秒当たり４４，１００個のサンプルが時間軸に沿って並ぶサンプルストリームとして表され、ステレオ音声の場合は、それぞれＬ・Ｒチャンネルに対応する２本のサンプルストリームで表される。
【００７８】
電子透かし技術によって情報を埋め込む場合、情報を埋め込む対象のデジタル音楽データのサンプルストリームは、時間軸に沿って一定区間毎に分割される。ここで、分割された各区間をタイムスライスと称する。各タイムスライスは互いに重なり合うことなく隣り合っており、各タイムスライスには、例えば１２８ビットのサンプルが含まれる。
【００７９】
デジタル音楽データのサンプルストリームに情報を埋め込む手法としては、時間軸領域で情報を埋め込む方法と、サンプルストリームを周波数領域に変換した上で情報を埋め込む方法が挙げられる。サンプルストリームを周波数領域に変換した上で情報を埋め込む場合、情報を埋め込んだ後で、時間軸領域への逆変換を行って、もとのサンプルストリームと同じ形態のデータにする必要がある。この逆変換によって、埋め込まれた情報は時間軸領域に分散され、検出することが非常に困難になるので、結果的に解読に対する防御性が高められる。
【００８０】
サンプルストリームを周波数領域に変換するためには、ＦＦＴ（Ｆａｓｔ　ＦｏｕｒｉｅｒＴｒａｎｓｆｏｒｍ：高速フーリエ変換）が用いられる。例えば、上記のタイムスライスに対してＦＦＴを実行すると、１２８のサンプルを含むタイムスライスが周波数領域に変換され、０Ｈｚ〜２２ｋＨｚにおける１２８の周波数帯のエネルギー量を示すスペクトルが得られる。なお、変換後の周波数帯の上限周波数は、Ｎｙｑｕｉｓｔ　周波数、またはサンプリングレートの１／２として決定される。
【００８１】
そして、ＦＦＴにより得られる各周波数帯のスペクトルを人工的に加工することにより、情報を埋め込むことができる。ただし、スペクトルの加工によって、デジタル音楽データの音質に影響が及ばないことが望ましいため、全ての情報を一カ所に埋め込むのではなく、情報を分散して埋め込む必要がある。
【００８２】
情報を分散して埋め込むために、スペクトラム拡散を利用する方法が知られている。この方法では、情報をスペクトラム拡散によって全周波数帯域に拡散し、スペクトルに重畳する。しかしながら、スペクトラム拡散では情報の挿入に関するパラメータが固定されるので、全周波数帯にわたって情報が拡散されていることが明らかになってしまう。このため、電子透かし情報が容易に検出され、電子透かし情報の不正な加工や除去が行われるおそれがある。また、スペクトルの状態とは無関係に全周波数帯に情報を分散するため、全周波数帯にホワイトノイズが加えられたのと同様の影響があり、もとのデジタル音楽データに聴覚で感じられるほどの影響を与えてしまうおそれがある。
【００８３】
そこで、最近では、人間の聴覚特性として知られているマスキング効果を利用して情報を埋め込む手法が提案されている。
具体的には、周波数領域のスペクトルの波形に基づき、もとのデジタル音楽データにおいてマスキング効果が期待されるマスキング領域を検出する。このマスキング領域に情報を付加した場合、マスキング効果によって、情報の付加による影響を聴覚で感じることは非常に困難になる。そこで、マスキング領域に対して情報を分散して付加すれば、もとのデジタル音楽データの音質に影響を及ぼすおそれがない。なお、この方法では電子透かし情報が付加された箇所がスペクトルの形状によって異なるため、その位置等を表す情報が、予め定められた形式のキーとしてデジタル音楽データに埋め込まれる。
【００８４】
マスキング効果を利用して電子透かし情報を埋め込んだ場合、キャリア信号、すなわち音声を表す信号に対して−１５ｄＢ（デシベル）程度の、知覚できないレベルで情報を埋め込むことができる。このため、電子透かし情報が容易に発見されるおそれもなく、また、情報を埋め込むことでもとのデジタル音楽データの音質を劣化させるおそれも無い。
【００８５】
そして、情報が埋め込まれた周波数領域のスペクトルは逆変換によって時間軸領域に変換され、もとのサンプルストリームと同じ形態のデジタル音楽データに復元される。デジタル音楽データに埋め込まれた電子透かし情報は、予め定められた形式の正当なキーに関する情報を保持する機器によってのみ、該キーをもとに検出し、書き換えることが可能である。一方、正当なキーに関する情報を保持していない機器によって電子透かし情報を検出し、電子透かし情報の書き換えや除去を行うことは非常に困難である。
このため、デジタル音楽データに埋め込まれた電子透かし情報は、正当なユーザによってのみ処理可能であり、意図しない第三者によって除去或いは改変されるおそれがない。
【００８６】
次に、電子透かし技術を利用して配信許諾情報および複製管理情報をデジタル音楽データに含ませる手法について説明する。
上述のように、電子透かし技術によってデジタル音楽データに埋め込むことが可能な情報の量は限られている。このため、電子透かし情報は、予めサイズが規定されたデータエリアと、各データエリアに埋め込まれるデータの内容を宣言する情報とによって構成される。
【００８７】
データエリアの中には、格納すべき情報が既に規定されているものがあり、これらのデータエリアにどのような情報が格納されているかは既に宣言されている。従って、データエリアに新たな情報を格納させる場合には、まず、使用されていない空きエリアとなっているデータエリアを検出する。
【００８８】
そして、空きエリアとなっているデータエリアを検出した場合、このデータエリアに配信許諾情報および複製管理情報を格納する旨を宣言する情報を、電子透かし情報に含ませる。これにより、配信許諾情報および複製管理情報を格納するためのデータエリアが確保されることになる。続いて、確保したデータエリアに配信許諾情報および複製管理情報を格納することで、電子透かし情報が生成される。
その後、生成した電子透かし情報を上述の電子透かし技術によってデジタル音楽データ中に埋め込むことで、デジタル音楽データに配信許諾情報と複製管理情報とを付加することができる。
【００８９】
ここで、デジタル音楽データから電子透かし情報を読み出す場合には、まず、データエリアに含まれる情報を宣言する情報を検出する。例えば、配信許諾情報がデータエリアに含まれることを宣言する情報が検出されれば、宣言されたデータエリアに配信許諾情報が格納されていることが分かる。また、複製管理情報が含まれることを宣言する情報が検出されれば、宣言されたデータエリアに複製管理情報が含まれることが分かる。従って、内容を宣言する情報を所定のアルゴリズムに従って検出し、検出した情報により宣言されているデータエリアを検出すれば、配信許諾情報或いは複製管理情報の内容を取得できる。
【００９０】
図２は、配信装置１の構成を示すブロック図である。
図２に示すように、配信装置１は、ＣＰＵ（Ｃｅｎｔｒａｌ　Ｐｒｏｃｅｓｓｉｎｇ　Ｕｎｉｔ　）１１、ＦＦＴ（Ｆａｓｔ　Ｆｏｕｒｉｅｒ　Ｔｒａｎｓｆｏｒｍ）部１２、ＲＡＭ（Ｒａｎｄｏｍ　Ａｃｃｅｓｓ　Ｍｅｍｏｒｙ）１３、記憶部１４、記憶部１４が有する記憶媒体１５、入力部１６、および通信制御部１７等の各部を備えて構成され、記憶媒体１５を除く各部はバス１８により互いに接続されている。
【００９１】
ＣＰＵ１１は、入力部１６からの指示入力に従って、記憶部１４に格納された制御プログラムを読み出してＲＡＭ１３のワークエリアに展開して実行し、配信装置１の各部を制御する。
具体的には、ＣＰＵ１１は、図示しない記録メディア読み取り装置、或いは通信制御部１７等を介して入力されたデジタル音楽データ、若しくは記憶部１４に格納されたデジタル音楽データについて、後述する情報付加処理（図５）を実行し、デジタル音楽データについて配信の可否を示す配信許諾情報と、複製の可否を示す複製管理情報とを生成し、該デジタル音楽データに電子透かし情報として実装する。
【００９２】
また、ＣＰＵ１１は、受信装置２や受信・記録装置５からデジタル音楽データの配信が要求されると、後述する配信処理（図６）を実行し、記憶部１４に格納されたデジタル音楽データを読み出して、該デジタル音楽データに付加された配信許諾情報および複製管理情報を識別して判定し、正規の配信許諾情報および複製管理情報が含まれており、かつ、配信が許諾されている場合には、該デジタル音楽データをネットワークＮを介して送信する。
【００９３】
ＦＦＴ部１２は、ＣＰＵ１１によって、デジタル音楽データに電子透かし情報を実装する処理、デジタル音楽データに電子透かし情報として付加された配信許諾情報および複製管理情報を識別する処理等の処理において、ＣＰＵ１１の制御に従って高速フーリエ変換および逆変換を実行し、変換後のデータをＣＰＵ１１へ出力する。
【００９４】
ＲＡＭ１３は、ＣＰＵ１１により実行されるプログラム、および、このプログラムに係るデータを一時的に格納するワークエリアを形成する。
【００９５】
記憶装置１４は、磁気的、光学的記録媒体、若しくは半導体メモリ等で構成される記憶媒体１５を有し、この記憶媒体１５に、情報付加処理プログラム、配信処理プログラムを始めとする各種プログラムや、デジタル音楽データ等のデータを記憶する。なお、記憶媒体１５に記憶するプログラムやデータ等は、その一部若しくは全部を他の機器から通信回線等を介して通信制御装置１７から受信して記憶する構成にしてもよく、さらに、記憶媒体１５はネットワークＮ等のネットワーク上に構築された他のサーバが有する記憶媒体であってもよい。
【００９６】
入力装置１６は、数字キー、文字キー、各種機能キー等を備えるキーボードや、マウスやタブレット等のポインティングデバイスを有しており、キーボード上で操作されたキーに対応する操作信号、若しくはポインティングデバイスの操作に伴う位置情報を含む操作信号をＣＰＵ１１へ出力する。
【００９７】
通信制御装置１７は、モデム（ＭＯＤＥＭ：ＭＯｄｕｌａｔｏｒ／ＤＥＭｏｄｕｌａｔｏｒ　）、ＡＤＳＬ（Ａｓｙｍｍｅｔｒｉｃ　Ｄｉｇｉｔａｌ　Ｓｕｂｓｃｒｉｂｅｒ　Ｌｉｎｅ）モデムやスプリッタ、ケーブルモデム、ターミナルアダプタ（ＴＡ：Ｔｅｒｍｉｎａｌ　Ａｄａｐｔｅｒ）やＤＳＵ（Ｄｉｇｉｔａｌ　Ｓｅｒｖｉｃｅ　Ｕｎｉｔ）等によって構成され、電話回線、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線、ＡＤＳＬ回線、ケーブルテレビ回線、或いは光ファイバ等によってなる専用線等の通信回線を介して、ネットワークＮに接続された機器との通信を行うための制御を行う。
【００９８】
図３は、受信装置２の構成を示すブロック図である。
図３に示すように、受信装置２は、ＣＰＵ２１、ＦＦＴ部２２、ＲＡＭ２３、記憶部２４、記憶部２４が有する記憶媒体２５、入力部２６、表示部２７および通信制御部２８等の各部を備えて構成され、記憶媒体２５を除く各部はバス２９により互いに接続されている。
【００９９】
ＣＰＵ２１は、入力部２６からの指示入力に従って、記憶部２４に格納された制御プログラムを読み出してＲＡＭ２３のワークエリアに展開して実行し、受信装置２の各部を制御する。
具体的には、ＣＰＵ２１は、ネットワークＮを介して配信装置１からデジタル音楽データが送信されると、後述する受信処理（図７）を実行して、デジタル音楽データを受信するとともに、受信したデジタル音楽データに付加された配信許諾情報および複製管理情報を識別して判別し、正規の配信許諾情報および複製管理情報が含まれており、かつ、配信が許諾されていて、複製管理情報が「０１」でない場合に限り、受信したデジタル音楽データを記憶部２４に格納する。
【０１００】
また、ＣＰＵ２１は、入力部２６からデジタル音楽データを記録装置３に出力して記録させる旨の指示が入力された場合には、後述する出力処理（図８）を実行し、指定されたデジタル音楽データを記憶部２４から読み出す。そして、ＣＰＵ２１は、読み出したデジタル音楽データに付加された配信許諾情報および複製管理情報を識別して判別し、正規の配信許諾情報および複製管理情報が含まれており、かつ、配信が許諾されていて、複製管理情報が「０１」および「１１」でない場合に限り、デジタル音楽データを記録装置３へ出力し、記録用メディアドライブ３１によって記録メディアに記録させる。
【０１０１】
さらに、ＣＰＵ２１は、入力部２６からデジタル音楽データを再生装置４に出力して再生させる旨の指示が入力された場合には、後述する再生出力処理（図９）を実行し、指定されたデジタル音楽データを記憶部２４から読み出す。そして、ＣＰＵ２１は、読み出したデジタル音楽データに付加された配信許諾情報および複製管理情報を識別して判別し、正規の配信許諾情報および複製管理情報が含まれており、かつ、配信が許諾されていて、複製管理情報が「０１」でない場合に限り、デジタル音楽データを再生装置４へ出力し、音楽を再生させる。
【０１０２】
また、ＣＰＵ２１は、配信装置１からネットワークＮを介して配信され、上記受信処理により受信したデジタル音楽データに関する情報や、入力部２６による入力内容、ＣＰＵ２１による処理結果等の各種情報を画面上に表示するための表示情報を生成し、表示部２７へ出力する。
【０１０３】
ＦＦＴ部２２は、ＣＰＵ２１によって、デジタル音楽データに電子透かし情報として付加された配信許諾情報および複製管理情報を識別する処理等の処理において、ＣＰＵ２１の制御に従って高速フーリエ変換および逆変換を実行し、変換後のデータをＣＰＵ２１へ出力する。
【０１０４】
ＲＡＭ２３は、ＣＰＵ１１により実行されるプログラム、および、このプログラムに係るデータを一時的に格納するワークエリアを形成する。
【０１０５】
記憶装置２４は、磁気的、光学的記録媒体、若しくは半導体メモリ等で構成される記憶媒体２５を有し、この記憶媒体２５に、受信処理プログラム、出力処理プログラム、再生出力処理プログラムを始めとする各種プログラムや、デジタル音楽データ等のデータを記憶する。なお、記憶媒体２５に記憶するプログラムやデータ等は、その一部若しくは全部を他の機器から通信回線等を介して通信制御装置２８から受信して記憶する構成にしてもよく、さらに、記憶媒体２５はネットワークＮ等のネットワーク上に構築された他のサーバが有する記憶媒体であってもよい。
【０１０６】
入力装置２６は、数字キー、文字キー、各種機能キー等を備えるキーボードや、マウスやタブレット等のポインティングデバイスを有しており、キーボード上で操作されたキーに対応する操作信号、若しくはポインティングデバイスの操作に伴う位置情報を含む操作信号をＣＰＵ２１へ出力する。
【０１０７】
表示部２７は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等によってなる表示画面を備え、ＣＰＵ２１から入力される表示情報に従って各種画面を表示する。
【０１０８】
通信制御装置２８は、モデム、ＡＤＳＬモデムやスプリッタ、ケーブルモデム、ターミナルアダプタやＤＳＵ等によって構成され、電話回線、ＩＳＤＮ回線、ＡＤＳＬ回線、ケーブルテレビ回線、或いは光ファイバ等によってなる専用線等の通信回線を介して、ネットワークＮに接続された機器との通信を行うための制御を行う。
【０１０９】
図４は、受信・記録装置５の構成を示すブロック図である。
図４に示すように、受信・記録装置５は、ＣＰＵ５１、ＦＦＴ部５２、ＲＡＭ５３、記憶部５４、記憶部５４が有する記憶媒体５５、通信制御部５６、入力部５７、表示部５８および記録用メディアドライブ５９等の各部を備えて構成され、記憶媒体５５を除く各部はバス６０により互いに接続されている。
【０１１０】
ＣＰＵ５１は、入力部５７からの指示入力に従って、記憶部５４に格納された制御プログラムを読み出してＲＡＭ５３のワークエリアに展開して実行し、受信・記録装置５の各部を制御する。
具体的には、ＣＰＵ５１は、ネットワークＮを介して配信装置１からデジタル音楽データが送信されると、後述する受信処理（図１０）を実行して、デジタル音楽データを受信するとともに、受信したデジタル音楽データに付加された配信許諾情報および複製管理情報を識別して判別し、正規の配信許諾情報および複製管理情報が含まれており、かつ、配信が許諾されていて、複製管理情報が「１１」および「０１」でない場合に限ってデジタル音楽データを受信する。そしてＣＰＵ５１は、受信したデジタル音楽データを記憶部５４に格納するとともに、記録用メディアドライブ５９によって所定の記録メディアに記録する。
【０１１１】
また、ＣＰＵ５１は、配信装置１からネットワークＮを介して配信され、上記受信処理により受信したデジタル音楽データに関する情報や、入力部５７による入力内容、ＣＰＵ２１による処理結果等の各種情報を画面上に表示するための表示情報を生成し、表示部５８へ出力する。
【０１１２】
ＦＦＴ部５２は、ＣＰＵ５１によって、デジタル音楽データに電子透かし情報として付加された配信許諾情報および複製管理情報を識別する処理等の処理において、ＣＰＵ５１の制御に従って高速フーリエ変換および逆変換を実行し、変換後のデータをＣＰＵ５１へ出力する。
【０１１３】
ＲＡＭ５３は、ＣＰＵ５１により実行されるプログラム、および、このプログラムに係るデータを一時的に格納するワークエリアを形成する。
【０１１４】
記憶装置５４は、磁気的、光学的記録媒体、若しくは半導体メモリ等で構成される記憶媒体５５を有し、この記憶媒体５５に、受信処理プログラムを始めとする各種プログラムや、デジタル音楽データ等のデータを記憶する。なお、記憶媒体５５に記憶するプログラムやデータ等は、その一部若しくは全部を他の機器から通信回線等を介して通信制御装置５６から受信して記憶する構成にしてもよく、さらに、記憶媒体５５はネットワークＮ等のネットワーク上に構築された他のサーバが有する記憶媒体であってもよい。
【０１１５】
通信制御装置５６は、モデム、ＡＤＳＬモデムやスプリッタ、ケーブルモデム、ターミナルアダプタやＤＳＵ等によって構成され、電話回線、ＩＳＤＮ回線、ＡＤＳＬ回線、ケーブルテレビ回線、或いは光ファイバ等によってなる専用線等の通信回線を介して、ネットワークＮに接続された機器との通信を行うための制御を行う。
【０１１６】
入力装置５７は、数字キー、文字キー、各種機能キー等を備えるキーボードや、マウスやタブレット等のポインティングデバイスを有しており、キーボード上で操作されたキーに対応する操作信号、若しくはポインティングデバイスの操作に伴う位置情報を含む操作信号をＣＰＵ５１へ出力する。
【０１１７】
表示部５８は、ＣＲＴやＬＣＤ等によってなる表示画面を備え、ＣＰＵ５１から入力される表示情報に従って各種画面を表示する。
【０１１８】
記録用メディアドライブ５９は、例えば、ＭＤ、ＭＯディスク、ＣＤ−Ｒ、ＣＤ−ＲＷ、ＤＶＤ−Ｒ、ＤＶＤ−ＲＡＭ等の光ディスク型記録媒体、スマートメディア、コンパクトフラッシュ（登録商標）、ＳＤカード、マルチメディアカード、メモリースティック等の半導体メモリデバイスを利用した記録媒体、ハードディスク装置等の磁気記録媒体、或いはこれらの記録媒体を内蔵する機器など、記録可能な媒体や機器にデジタルデータを記録する装置であり、ＣＰＵ５１から入力されたデジタル音楽データを、上記媒体や機器に記録する。
【０１１９】
次に、本第１の実施の形態における動作を説明する。
図５は、配信装置１により実行される情報付加処理を詳細に示すフローチャートである。
【０１２０】
図５に示す処理において、ＣＰＵ１１は、まず、処理対象のデジタル音楽データに埋め込むべき電子透かし情報を生成する（ステップＳ１１）。ここで生成される電子透かし情報は、所定のヘッダとデータエリアにより構成され、空きのデータエリアを有するものであり、配信許諾情報および複製管理情報は含まれていない。
【０１２１】
続いて、ＣＰＵ１１は、電子透かし情報の空きエリアを検出し、該空きエリアに配信許諾情報を格納する旨の情報をヘッダに記録することにより、配信許諾情報を格納するデータエリアを確保する（ステップＳ１２）。
そして、ＣＰＵ１１は、電子透かし情報の空きエリアに配信許諾情報を格納することで、電子透かし情報中に配信許諾情報を付与する（ステップＳ１３）。
【０１２２】
次いで、ＣＰＵ１１は、電子透かし情報の空きエリアを検出し、該空きエリアに複製管理情報を格納する旨の情報をヘッダに記録することにより、複製管理情報を格納するデータエリアを確保する（ステップＳ１４）。
そして、ＣＰＵ１１は、電子透かし情報の空きエリアに複製管理情報を格納することで、電子透かし情報中に複製管理情報を付与する（ステップＳ１５）。
【０１２３】
その後、ＣＰＵ１１は、処理対象のデジタル音楽データについてＦＦＴ部１２によって高速フーリエ変換を実行させ、得られた周波数スペクトルに対して、配信許諾情報および複製管理情報が付与された電子透かし情報を埋め込み、埋め込み後のスペクトルについてＦＦＴ部１２によって逆変換を実行させることにより、電子透かし情報をデジタル音楽データに実装する（ステップＳ１６）。そして、ＣＰＵ１１は、電子透かし情報が実装されたデジタル音楽データを記憶部１４に格納する（ステップＳ１７）。
【０１２４】
なお、図５に示す情報付加処理の対象となるデジタル音楽データは、予め配信装置１の記憶部１４に格納されていたもの、ネットワークＮを介して配信装置１に入力されたもの、配信装置１に接続された記録メディア読み取り装置（図示略）等のその他の経路により配信装置１へ入力されたもののいずれであっても良く、その由来は問わない。
【０１２５】
また、図５に示す情報付加処理の対象となるデジタル音楽データについて、配信の可否および複製の可否に関する情報は、例えば、対象となるデジタル音楽データが配信装置１に入力される際に、配信装置１により取得されるものとしても良い。すなわち、配信装置１に接続された記録メディア読み取り装置（図示略）からＣＰＵ１１へデジタル音楽データが入力される場合、記録メディア読み取り装置によって、読み取り対象の記録メディアがパッケージ販売される記録メディアであるか否かを判別し、パッケージ販売される記録メディアであれば、配信は許諾されないデジタル音楽データとして扱うようにしても良い。
【０１２６】
図６は、配信装置１により実行される配信処理を示すフローチャートである。
図６において、ＣＰＵ１１は、まず、ネットワークＮを介して配信しようとするデジタル音楽データについて、ＦＦＴ部１２によって高速フーリエ変換を実行させた上、得られた周波数スペクトルから、所定のアルゴリズムに基づいて電子透かし情報を抽出する（ステップＳ２１）。このステップＳ２１では、まず、電子透かし情報として配信許諾情報および複製管理情報が付加されたことを宣言する情報を抽出する。
続いて、ＣＰＵ１１は、抽出した電子透かし情報の判別を行い（ステップＳ２２）、適正な電子透かし情報であるか否かを判別する（ステップＳ２３）。
【０１２７】
ステップＳ２３で、ＣＰＵ１１は、処理対象のデジタル音楽データに電子透かし情報が含まれていない、或いは、電子透かし情報の形態が、配信システム１００で処理可能な形態と一致しない等、適正な電子透かし情報が無いと判別した場合には、実行中の配信処理を停止する（ステップＳ２４）。
【０１２８】
また、処理対象のデジタル音楽データから抽出された電子透かし情報が適正なものであった場合（ステップＳ２３；Ｙｅｓ）、ＣＰＵ１１は、ステップＳ２１で抽出された電子透かし情報によって宣言された内容に従って、配信許諾情報が格納されたデータエリアを識別し（ステップＳ２５）、電子透かし情報として、配信許諾情報が格納された適正なデータエリアが存在するか否かを判別する（ステップＳ２６）。
【０１２９】
ステップＳ２６で、配信許諾情報が格納されたデータエリアが無い、或いは、宣言されたデータエリアと配信許諾情報とが一致しない等のデータエリアの構造不良が発生している等、配信許諾情報が格納された適正なデータエリアが無いと判別した場合、ＣＰＵ１１は、ステップＳ２４に移行して配信処理を停止する。
【０１３０】
一方、ステップＳ２６で、配信許諾情報が格納された適正なデータエリアが有ると判別した場合、ＣＰＵ１１は、配信許諾情報の内容を識別して（ステップＳ２７）、配信が許諾されているか否かを判別する（ステップＳ２８）。
【０１３１】
ここで、電子透かし情報に格納された配信許諾情報が「１」であり、配信を許諾しない旨を示す情報であった場合（ステップＳ２８；Ｎｏ）、配信処理を継続することは適切でないので、ＣＰＵ１１は、ステップＳ２４に移行して配信処理を停止する。また、ステップＳ２８で、電子透かし情報に格納された複製管理情報が「０」であって、配信を許諾することを示す情報であった場合、ＣＰＵ１１は、ステップＳ２１で抽出した電子透かし情報によって宣言された内容に従って、複製管理情報が格納されたデータエリアを識別し（ステップＳ２９）、電子透かし情報として、複製管理情報が格納された適正なデータエリアが存在するか否かを判別する（ステップＳ３０）。
【０１３２】
そして、複製管理情報が格納されたデータエリアが無い、或いは、宣言されたデータエリアと複製管理情報とが一致しない等のデータエリアの構造不良が発生している等、複製管理情報が格納された適正なデータエリアが無いと判別した場合（ステップＳ３０；Ｎｏ）、ＣＰＵ１１は、ステップＳ２４に移行して配信処理を停止する。
【０１３３】
一方、ステップＳ３０で、複製管理情報が格納された適正なデータエリアが有ると判別した場合、ＣＰＵ１１は、複製管理情報の内容を識別して（ステップＳ３１）、複製管理情報が示す複製の制限を判別する（ステップＳ３２）。
【０１３４】
ここで、電子透かし情報に格納された複製管理情報が「０１」であった場合、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、ＣＰＵ１１は、ステップＳ２４に移行して配信処理を停止する。
【０１３５】
また、ステップＳ３２で、複製管理情報の値が「０１」以外であった場合、ＣＰＵ１１は、処理対象のデジタル音楽データを、通信制御部１７によってネットワークＮへ送信し（ステップＳ３３）、本処理を終了する。
【０１３６】
このように、配信装置１においては、ネットワークＮを介して配信されるデジタル音楽データについては、配信の可否を示す配信許諾情報と、複製に関する制限を示す複製管理情報とを電子透かし情報として埋め込み、ネットワークＮを介してデジタル音楽データを配信する際には、適正な電子透かし情報が埋め込まれたデジタル音楽データのみを配信する。さらに、配信装置１は、配信が許諾されないデジタル音楽データ、および、一世代に限って複製が許諾されたデジタル音楽データを複製して得られたデジタル音楽データについては、配信を行わない。
【０１３７】
これにより、配信が許諾されていないデジタル音楽データや著作権を保護するための制限を超えたデジタル音楽データがネットワークＮへ配信されることがないので、著作権を無視してデジタル音楽データを配信する行為を防止できる。
【０１３８】
図７は、受信装置２によって実行される受信処理を示すフローチャートである。
図７において、ＣＰＵ２１は、まず、ネットワークＮを介して受信しようとするデジタル音楽データについて、ＦＦＴ部２２によって高速フーリエ変換を実行させた上、得られた周波数スペクトルから、所定のアルゴリズムに基づいて電子透かし情報を抽出する（ステップＳ４１）。このステップＳ４１では、まず、電子透かし情報として配信許諾情報および複製管理情報が付加されたことを宣言する情報を抽出する。
続いて、ＣＰＵ２１は抽出した電子透かし情報の判別を行い（ステップＳ４２）、適正な電子透かし情報であるか否かを判別する（ステップＳ４３）。
【０１３９】
ステップＳ４３で、ＣＰＵ２１は、処理対象のデジタル音楽データに電子透かし情報が含まれていない、或いは、電子透かし情報の形態が、配信システム１００で処理可能な形態と一致しない等、適正な電子透かし情報が無いと判別した場合には、実行中の受信処理を停止し、受信中のデジタル音楽データのうち既に受信したデータを廃棄する（ステップＳ４４）。
【０１４０】
また、処理対象のデジタル音楽データから抽出された電子透かし情報が適正なものであった場合（ステップＳ４３；Ｙｅｓ）、ＣＰＵ２１は、ステップＳ４１で抽出された電子透かし情報によって宣言された内容に従って、配信許諾情報が格納されたデータエリアを識別し（ステップＳ４５）、電子透かし情報として、配信許諾情報が格納された適正なデータエリアが存在するか否かを判別する（ステップＳ４６）。
【０１４１】
ステップＳ４６で、配信許諾情報が格納されたデータエリアが無い、或いは、宣言されたデータエリアと配信許諾情報とが一致しない等のデータエリアの構造不良が発生している等、配信許諾情報が格納された適正なデータエリアが無いと判別した場合、ＣＰＵ２１は、ステップＳ４４に移行して受信処理を停止する。
【０１４２】
一方、ステップＳ４６で、配信許諾情報が格納された適正なデータエリアが有ると判別した場合、ＣＰＵ２１は、配信許諾情報の内容を識別して（ステップＳ４７）、配信が許諾されているか否かを判別する（ステップＳ４８）。
【０１４３】
ここで、電子透かし情報に格納された配信許諾情報が「１」であり、配信を許諾しない旨を示す情報であった場合（ステップＳ４８；Ｎｏ）、ＣＰＵ２１は、ステップＳ４４に移行して受信処理を停止する。また、ステップＳ４８で、電子透かし情報に格納された複製管理情報が「０」であって、配信を許諾することを示す情報であった場合、ＣＰＵ２１は、ステップＳ４１で抽出した電子透かし情報によって宣言された内容に従って、複製管理情報が格納されたデータエリアを識別し（ステップＳ４９）、電子透かし情報として、複製管理情報が格納された適正なデータエリアが存在するか否かを判別する（ステップＳ５０）。
【０１４４】
そして、複製管理情報が格納されたデータエリアが無い、或いは、宣言されたデータエリアと複製管理情報とが一致しない等のデータエリアの構造不良が発生している等、複製管理情報が格納された適正なデータエリアが無いと判別した場合（ステップＳ５０；Ｎｏ）、ＣＰＵ２１は、ステップＳ４４に移行して受信処理を停止する。
【０１４５】
一方、ステップＳ５０で、複製管理情報が格納された適正なデータエリアが有ると判別した場合、ＣＰＵ２１は、複製管理情報の内容を識別して（ステップＳ５１）、複製管理情報が示す複製の制限を判別する（ステップＳ５２）。
【０１４６】
ここで、電子透かし情報に格納された複製管理情報が「０１」であった場合、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、ＣＰＵ２１は、ステップＳ４４に移行して受信処理を停止する。
【０１４７】
また、ステップＳ５２で、複製管理情報の値が「０１」以外であった場合、ＣＰＵ２１は、処理対象のデジタル音楽データを記憶部２４に格納し（ステップＳ５３）、本処理を終了する。
【０１４８】
図８は、受信装置２によって実行される出力処理を示すフローチャートである。この図８に示す出力処理は、受信装置２によって受信され、記憶部２４に格納されたデジタル音楽データを、記録用メディアドライブ３１による記録を目的として記録装置３へ出力する処理である。
【０１４９】
図８において、ＣＰＵ２１は、まず、記録装置３へ出力しようとするデジタル音楽データについて、ＦＦＴ部２２によって高速フーリエ変換を実行させた上、得られた周波数スペクトルから、所定のアルゴリズムに基づいて電子透かし情報を抽出する（ステップＳ６１）。このステップＳ６１では、まず、電子透かし情報として配信許諾情報および複製管理情報が付加されたことを宣言する情報を抽出する。
続いて、ＣＰＵ２１は、抽出した電子透かし情報の判別を行い（ステップＳ６２）、適正な電子透かし情報であるか否かを判別する（ステップＳ６３）。
【０１５０】
ステップＳ６３で、ＣＰＵ２１は、処理対象のデジタル音楽データに電子透かし情報が含まれていない、或いは、電子透かし情報の形態が、配信システム１００で処理可能な形態と一致しない等、適正な電子透かし情報が無いと判別した場合には、実行中の出力処理を停止する（ステップＳ６４）。
【０１５１】
また、処理対象のデジタル音楽データから抽出された電子透かし情報が適正なものであった場合（ステップＳ６３；Ｙｅｓ）、ＣＰＵ２１は、ステップＳ６１で抽出された電子透かし情報によって宣言された内容に従って、配信許諾情報が格納されたデータエリアを識別し（ステップＳ６５）、電子透かし情報として、配信許諾情報が格納された適正なデータエリアが存在するか否かを判別する（ステップＳ６６）。
【０１５２】
ステップＳ６６で、配信許諾情報が格納されたデータエリアが無い、或いは、宣言されたデータエリアと配信許諾情報とが一致しない等のデータエリアの構造不良が発生している等、配信許諾情報が格納された適正なデータエリアが無いと判別した場合、ＣＰＵ２１は、ステップＳ６４に移行して出力処理を停止する。
【０１５３】
一方、ステップＳ６６で、配信許諾情報が格納された適正なデータエリアが有ると判別した場合、ＣＰＵ２１は、配信許諾情報の内容を識別して（ステップＳ６７）、配信が許諾されているか否かを判別する（ステップＳ６８）。
【０１５４】
ここで、電子透かし情報に格納された配信許諾情報が「１」であり、配信を許諾しない旨を示す情報であった場合（ステップＳ６８；Ｎｏ）、ＣＰＵ２１は、ステップＳ６４に移行して出力処理を停止する。また、ステップＳ６８で、電子透かし情報に格納された複製管理情報が「０」であって、配信を許諾することを示す情報であった場合、ＣＰＵ２１は、ステップＳ６１で抽出した電子透かし情報によって宣言された内容に従って、複製管理情報が格納されたデータエリアを識別し（ステップＳ６９）、電子透かし情報として、複製管理情報が格納された適正なデータエリアが存在するか否かを判別する（ステップＳ７０）。
【０１５５】
そして、複製管理情報が格納されたデータエリアが無い、或いは、宣言されたデータエリアと複製管理情報とが一致しない等のデータエリアの構造不良が発生している等、複製管理情報が格納された適正なデータエリアが無いと判別した場合（ステップＳ７０；Ｎｏ）、ＣＰＵ２１は、ステップＳ６４に移行して出力処理を停止する。
【０１５６】
一方、ステップＳ７０で、複製管理情報が格納された適正なデータエリアが有ると判別した場合、ＣＰＵ２１は、複製管理情報の内容を識別して（ステップＳ７１）、複製管理情報が示す複製の制限を判別する（ステップＳ７２）。
【０１５７】
ここで、電子透かし情報に格納された複製管理情報が「０１」であった場合、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられ、一般的に頒布や譲渡は禁じられており、記録装置３によって他の記録メディアに記録することは適切ではない。このため、ＣＰＵ２１は、ステップＳ６４に移行して出力処理を停止する。
【０１５８】
また、電子透かし情報に格納された複製管理情報が「１１」であった場合、処理対象のデジタル音楽データは複製が禁じられているので、記録装置３によって他の記録メディアに記録することは適切ではない。このため、ＣＰＵ２１は、ステップＳ６４に移行して出力処理を停止する。
【０１５９】
一方、ステップＳ７２で、複製管理情報の値が「０１」および「１１」以外の値、すなわち、「００」若しくは「１０」であった場合、ＣＰＵ２１は、処理対象のデジタル音楽データを記録装置３へ出力し（ステップＳ７３）、本処理を終了する。
【０１６０】
図９は、受信装置２によって実行される再生出力処理を示すフローチャートである。この図９に示す再生出力処理は、受信装置２によって受信され、記憶部２４に格納されたデジタル音楽データを、再生を目的として再生装置４へ出力する処理である。
【０１６１】
図９において、ＣＰＵ２１は、まず、再生装置４へ出力しようとするデジタル音楽データについて、ＦＦＴ部２２によって高速フーリエ変換を実行させた上、得られた周波数スペクトルから、所定のアルゴリズムに基づいて電子透かし情報を抽出する（ステップＳ８１）。このステップＳ８１では、まず、電子透かし情報として配信許諾情報および複製管理情報が付加されたことを宣言する情報を抽出する。
続いて、ＣＰＵ２１は、抽出した電子透かし情報の判別を行い（ステップＳ８２）、適正な電子透かし情報であるか否かを判別する（ステップＳ８３）。
【０１６２】
ステップＳ８３で、ＣＰＵ２１は、処理対象のデジタル音楽データに電子透かし情報が含まれていない、或いは、電子透かし情報の形態が、配信システム１００で処理可能な形態と一致しない等、適正な電子透かし情報が無いと判別した場合には、実行中の再生出力処理を停止する（ステップＳ８４）。
【０１６３】
また、処理対象のデジタル音楽データから抽出された電子透かし情報が適正なものであった場合（ステップＳ８３；Ｙｅｓ）、ＣＰＵ２１は、ステップＳ８１で抽出された電子透かし情報によって宣言された内容に従って、配信許諾情報が格納されたデータエリアを識別し（ステップＳ８５）、電子透かし情報として、配信許諾情報が格納された適正なデータエリアが存在するか否かを判別する（ステップＳ８６）。
【０１６４】
ステップＳ８６で、配信許諾情報が格納されたデータエリアが無い、或いは、宣言されたデータエリアと配信許諾情報とが一致しない等のデータエリアの構造不良が発生している等、配信許諾情報が格納された適正なデータエリアが無いと判別した場合、ＣＰＵ２１は、ステップＳ８４に移行して再生出力処理を停止する。
【０１６５】
一方、ステップＳ８６で、配信許諾情報が格納された適正なデータエリアが有ると判別した場合、ＣＰＵ２１は、配信許諾情報の内容を識別して（ステップＳ８７）、配信が許諾されているか否かを判別する（ステップＳ８８）。
【０１６６】
ここで、電子透かし情報に格納された配信許諾情報が「１」であり、配信を許諾しない旨を示す情報であった場合（ステップＳ８８；Ｎｏ）、ＣＰＵ２１は、ステップＳ８４に移行して再生出力処理を停止する。また、ステップＳ８８で、電子透かし情報に格納された複製管理情報が「０」であって、配信を許諾することを示す情報であった場合、ＣＰＵ２１は、ステップＳ８１で抽出した電子透かし情報によって宣言された内容に従って、複製管理情報が格納されたデータエリアを識別し（ステップＳ８９）、電子透かし情報として、複製管理情報が格納された適正なデータエリアが存在するか否かを判別する（ステップＳ９０）。
【０１６７】
そして、複製管理情報が格納されたデータエリアが無い、或いは、宣言されたデータエリアと複製管理情報とが一致しない等のデータエリアの構造不良が発生している等、複製管理情報が格納された適正なデータエリアが無いと判別した場合（ステップＳ９０；Ｎｏ）、ＣＰＵ２１は、ステップＳ８４に移行して再生出力処理を停止する。
【０１６８】
一方、ステップＳ９０で、複製管理情報が格納された適正なデータエリアが有ると判別した場合、ＣＰＵ２１は、複製管理情報の内容を識別して（ステップＳ９１）、複製管理情報が示す複製の制限を判別する（ステップＳ９２）。
【０１６９】
ここで、電子透かし情報に格納された複製管理情報が「０１」であった場合、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられ、一般的に頒布や譲渡は禁じられている。このため、ＣＰＵ２１は、ステップＳ８４に移行して再生出力処理を停止する。
【０１７０】
一方、ステップＳ９２で、複製管理情報の値が「０１」以外の値であった場合、ＣＰＵ２１は、処理対象のデジタル音楽データを再生装置４へ出力し（ステップＳ９３）、本処理を終了する。
【０１７１】
このように、受信装置２においては、ネットワークＮを介してデジタル音楽データを受信する際に、配信の可否を示す配信許諾情報と、複製に関する制限を示す複製管理情報とを含む適正な電子透かし情報が埋め込まれたデジタル音楽データのみを受信する。さらに、受信装置２は、配信が許諾されないデジタル音楽データ、および、一世代に限って複製が許諾されたデジタル音楽データを複製して得られたデジタル音楽データについては、受信しない。
【０１７２】
これにより、配信が許諾されていないデジタル音楽データや著作権を保護するための制限を超えたデジタル音楽データがネットワークＮを介して受信されることがないので、著作権を無視してデジタル音楽データを配信する行為を防止できる。
【０１７３】
また、受信装置２は、デジタル音楽データを記録用メディアドライブ３１によって記録するためにデジタル音楽データを記録装置３へ出力する場合、配信の可否を示す配信許諾情報と、複製に関する制限を示す複製管理情報とを含む適正な電子透かし情報が埋め込まれた上、配信および複製が許諾されたデジタル音楽データのみを出力する。
【０１７４】
これにより、配信許諾情報および複製管理情報によって、ネットワークＮを介した配信および複製が正規に許諾されていないデジタル音楽データが記録メディア等に記録されることがなく、著作権を無視してデジタル音楽データを配信し、複製する行為を防止できる
【０１７５】
さらに、受信装置２は、デジタル音楽データを再生するためにデジタル音楽データを再生装置４へ出力する場合、配信の可否を示す配信許諾情報と、複製に関する制限を示す複製管理情報とを含む適正な電子透かし情報が埋め込まれたデジタル音楽データのみを出力するが、配信が許諾されていないデジタル音楽データや、一世代に限って複製が許諾されたデジタル音楽データを複製して得られたデジタル音楽データは出力しない。
【０１７６】
これにより、配信が許諾されていないデジタル音楽データや著作権を保護するための制限を超えたデジタル音楽データが利用されることがないので、著作権を無視してデジタル音楽データを利用する行為を防止できる。
【０１７７】
図１０は、受信・記録装置５によって実行される受信処理を示すフローチャートである。この図１０に示す受信処理は、配信装置１からネットワークＮを介して配信されるデジタル音楽データを受信・記録装置５によって受信する処理である。
【０１７８】
図１０において、ＣＰＵ５１は、まず、記録装置３へ出力しようとするデジタル音楽データについて、ＦＦＴ部５２によって高速フーリエ変換を実行させた上、得られた周波数スペクトルから、所定のアルゴリズムに基づいて電子透かし情報を抽出する（ステップＳ１０１）。このステップＳ１０１では、まず、電子透かし情報として配信許諾情報および複製管理情報が付加されたことを宣言する情報を抽出する。
続いて、ＣＰＵ５１は、抽出した電子透かし情報の判別を行い（ステップＳ１０２）、適正な電子透かし情報であるか否かを判別する（ステップＳ１０３）。
【０１７９】
ステップＳ１０３で、ＣＰＵ５１は、処理対象のデジタル音楽データに電子透かし情報が含まれていない、或いは、電子透かし情報の形態が、配信システム１００で処理可能な形態と一致しない等、適正な電子透かし情報が無いと判別した場合には、実行中の受信処理を停止し、受信中のデジタル音楽データのうち既に受信したデータを廃棄する（ステップＳ１０４）。
【０１８０】
また、処理対象のデジタル音楽データから抽出された電子透かし情報が適正なものであった場合（ステップＳ１０３；Ｙｅｓ）、ＣＰＵ５１は、ステップＳ１０１で抽出された電子透かし情報によって宣言された内容に従って、配信許諾情報が格納されたデータエリアを識別し（ステップＳ１０５）、電子透かし情報として、配信許諾情報が格納された適正なデータエリアが存在するか否かを判別する（ステップＳ１０６）。
【０１８１】
ステップＳ１０６で、配信許諾情報が格納されたデータエリアが無い、或いは、宣言されたデータエリアと配信許諾情報とが一致しない等のデータエリアの構造不良が発生している等、配信許諾情報が格納された適正なデータエリアが無いと判別した場合、ＣＰＵ５１は、ステップＳ１０４に移行して受信処理を停止する。
【０１８２】
一方、ステップＳ１０６で、配信許諾情報が格納された適正なデータエリアが有ると判別した場合、ＣＰＵ５１は、配信許諾情報の内容を識別して（ステップＳ１０７）、配信が許諾されているか否かを判別する（ステップＳ１０８）。
【０１８３】
ここで、電子透かし情報に格納された配信許諾情報が「１」であり、配信を許諾しない旨を示す情報であった場合（ステップＳ１０８；Ｎｏ）、ＣＰＵ５１は、ステップＳ１０４に移行して受信処理を停止する。また、ステップＳ１０８で、電子透かし情報に格納された複製管理情報が「０」であって、配信を許諾することを示す情報であった場合、ＣＰＵ５１は、ステップＳ１０１で抽出した電子透かし情報によって宣言された内容に従って、複製管理情報が格納されたデータエリアを識別し（ステップＳ１０９）、電子透かし情報として、複製管理情報が格納された適正なデータエリアが存在するか否かを判別する（ステップＳ１１０）。
【０１８４】
そして、複製管理情報が格納されたデータエリアが無い、或いは、宣言されたデータエリアと複製管理情報とが一致しない等のデータエリアの構造不良が発生している等、複製管理情報が格納された適正なデータエリアが無いと判別した場合（ステップＳ１１０；Ｎｏ）、ＣＰＵ５１は、ステップＳ１０４に移行して受信処理を停止する。
【０１８５】
一方、ステップＳ１１０で、複製管理情報が格納された適正なデータエリアが有ると判別した場合、ＣＰＵ５１は、複製管理情報の内容を識別して（ステップＳ１１１）、複製管理情報が示す複製の制限を判別する（ステップＳ１１２）。
【０１８６】
ここで、電子透かし情報に格納された複製管理情報が「０１」であった場合、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられており、記録用メディアドライブ５９を備える受信・記録装置５によって受信することは適切ではない。このため、ＣＰＵ５１は、ステップＳ１０４に移行して受信処理を停止する。
【０１８７】
また、電子透かし情報に格納された複製管理情報が「１１」であった場合、処理対象のデジタル音楽データは複製が禁じられているので、記録用メディアドライブ５９を備える受信・記録装置５によって受信することは適切ではない。このため、ＣＰＵ５１は、ステップＳ１０４に移行して受信処理を停止する。
【０１８８】
一方、ステップＳ１１２で、複製管理情報の値が「０１」および「１１」以外の値、すなわち、「００」若しくは「１０」であった場合、ＣＰＵ５１は、処理対象のデジタル音楽データを記憶部５４に格納するとともに記録用メディアドライブ５９によって記録し（ステップＳ１１３）、本処理を終了する。
【０１８９】
このように、受信・記録装置５においては、ネットワークＮを介してデジタル音楽データを受信する際に、配信の可否を示す配信許諾情報と、複製に関する制限を示す複製管理情報とを含む適正な電子透かし情報が埋め込まれたデジタル音楽データのみを受信する。さらに、受信・記録装置５は、配信が許諾されたデジタル音楽データであって、かつ、複製が許諾されたデジタル音楽データのみを受信する。
【０１９０】
これにより、配信許諾情報および複製管理情報によって、ネットワークＮを介した配信および複製が正規に許諾されていないデジタル音楽データが記録メディア等に記録されることがなく、著作権を無視してデジタル音楽データを配信し、複製する行為を防止できる。
【０１９１】
なお、受信・記録装置５において、受信したデジタル音楽データを記録用メディアドライブ５９によって記録する処理については、デジタル音楽データを記憶部５４に一時的に格納した後、時間をおいて実行することも勿論可能である。
【０１９２】
以上のように、本発明を適用した第１の実施の形態における配信システム１００によれば、デジタル音楽データを配信する配信装置１によって、ネットワークＮを介して配信されるデジタル音楽データに配信の可否を示す配信許諾情報を付加し、配信が許諾されていることを示す配信許諾情報が付加されたデジタル音楽データのみを配信する。また、デジタル音楽データを受信する受信装置２および受信・記録装置５においては、配信が許諾されていることを示す配信許諾情報が付加されたデジタル音楽データのみが受信される。
【０１９３】
すなわち、デジタル音楽データについて、配信が許諾されているか否かが明確に宣言されているため、配信が許諾されていないデジタル音楽データがネットワークＮを介して配信されることがなく、著作権を無視したデジタル音楽データの配信を防止できる。
【０１９４】
また、配信システム１００においては、配信装置１によって複製の制限を示す複製管理情報がデジタル音楽データに付加されて配信され、受信装置２および受信・記録装置５においては、複製管理情報に基づいてデジタル音楽データの受信や記録が行われる。
【０１９５】
すなわち、一世代に限って複製が許諾されたデジタル音楽データが複製されて得られたデジタル音楽データについては、配信装置１による配信が行われず、さらに、受信装置２および受信・記録装置５による受信も行われない。これにより、一世代に限って複製が許諾されたデジタル音楽データが何度も複製され、利用されるのを防止できる。
【０１９６】
また、複製が許諾されていないデジタル音楽データについては、配信装置１によってネットワークＮを介して配信され、受信装置２によって受信されるが、受信装置２から記録装置３に出力されることがない。また、受信・記録装置５は、複製が許諾されていないデジタル音楽データを受信しない。これにより、複製が許諾されていないデジタル音楽データの利用は、あくまで再生出力を目的とした利用に限られ、制限を無視して複製されることが無い。
【０１９７】
従って、著作権者の意向等に基づいて、配信許諾情報および複製管理情報をデジタル音楽データに付加することによって、著作権を無視したデジタル音楽データの配信や複製を防止することが可能となる。
【０１９８】
なお、以上の実施の形態における記述内容は、本発明に係る配信システムの好適な一例であり、本発明はこれに限定されるものではない。
例えば、本実施の形態では、ネットワークＮを中心として構成される配信システム１００を、配信装置１から配信されるデジタル音楽データを受信装置２および受信・記録装置５によって受信するクライアント−サーバ型のネットワークとしたが、本発明はこれに限定されず、例えばインターネットのようなオープンなネットワークに接続された他のサーバ装置から受信したデジタル音楽データを処理するものとしても良いし、或いは、ピア・ツー・ピア型ネットワークにより接続された相手先コンピュータから受信したデジタル音楽データを処理するものとしても良く、その他の具体的構成についても適宜に変更可能であることは勿論である。
【０１９９】
また、配信装置１、受信装置２および受信・記録装置５の具体的構成等についても任意であり、その他の細部構成等についても適宜に変更可能であることは勿論である。
【０２００】
［第２の実施の形態］
次いで、本発明を適用した第２の実施の形態について説明する。
なお、本第２の実施の形態における配信システム１００を構成する各部は、図１〜図４の各図に示す第１の実施の形態における配信システム１００と同様の構成によってなるものであり、その構成についての図示および説明は省略する。
【０２０１】
本第２の実施の形態における配信システム１００においては、デジタル音楽データを配信する際に、デジタル音楽データの先頭に、所定のプロトコルに従ったヘッダを付与する。ここで、ネットワークを介したデータの送受信において、一般的に用いられるヘッダの構成について説明する。
図１１は、プロトコルヘッダの一例として、ＩＰ（Ｉｎｔｅｒｎｅｔ　Ｐｒｏｔｏｃｏｌ）ヘッダの構成を示す図である。
【０２０２】
図１１に示すように、ＩＰヘッダは、バージョン（４ビット）、ヘッダ長（４ビット）、サービスタイプ（８ビット）、パケット長（１６ビット）、識別子（１６ビット）、フラグ（３ビット）、フラグメントオフセット（１３ビット）、生存時間（８ビット）、プロトコル（８ビット）、ヘッダチェックサム（１６ビット）、送信元ＩＰアドレス（３２ビット）、宛先ＩＰアドレス（３２ビット）、オプション（可変長）、パディング（オプションと合わせて３２の整数倍のビット数となる）から構成され、これらのヘッダの後にはデータエリアが続く構成となっている。
【０２０３】
従って、インターネットを介してデジタル音楽データを送受信する場合、先頭にＩＰヘッダが付加され、このＩＰヘッダのパディングに続くビット以降のデータエリア中に、デジタル音楽データが付加されたことになる。
【０２０４】
本第２の実施の形態における配信システム１００では、ネットワークＮを介して送受信されるデジタル音楽データにＩＰヘッダを付加した後、さらに、ＩＰヘッダに続くデータエリアの先頭に、付加情報ヘッダを付与する。そして、付加情報ヘッダに続いて、デジタル音楽データを含むデータエリアが位置する。
ここで、付加情報ヘッダの構成を、図１２に示す。
【０２０５】
図１２に示すように、付加情報ヘッダは８ビットのデータにより構成される。付加情報ヘッダの先頭の１ビットは、付加情報識別子に割り当てられ、続く２ビットは複製管理情報に割り当てられ、続く１ビットは配信許諾情報に割り当てられ、残る４ビットはリザーブとなっている。
【０２０６】
付加情報識別子は１ビットのデータであり、図１３に示すように、値が「０」の場合は、付加情報ヘッダに付加情報が設定されていないことを示し、値が「１」の場合は、付加情報ヘッダに付加情報が設定されていることを示す。
なお、付加情報とは、付加情報ヘッダに含まれる複製管理情報および配信許諾情報を指す。従って、付加情報識別子が「１」の場合には、付加情報ヘッダの２ビット目〜４ビット目を参照すれば、複製管理情報および配信許諾情報の内容を取得できる。また、付加情報識別子が「０」の場合、付加情報ヘッダを参照しても複製管理情報および配信許諾情報に関する情報は得られないことになる。
【０２０７】
複製管理情報は、図１４に示すように、「００」，「０１」，「１０」，「１１」の４つの値を有する２ビットのデータであり、この複製管理情報が付与されたデジタル音楽データの複製に関する制限を示す情報である。
【０２０８】
図１４に示すように、値が「００」の複製管理情報は「Ｃｏｐｙ　Ｆｒｅｅ　」を示す。すなわち、値が「００」の複製管理情報が付与されたデジタル音楽データについては、複製は制限されない。
【０２０９】
一方、値が「１１」の複製管理情報は「Ｎｅｖｅｒ　Ｃｏｐｙ」を示す。すなわち、値が「１１」の複製管理情報が付与されたデジタル音楽データについては、複製が禁じられる。
【０２１０】
さらに、値が「１０」の複製管理情報は「Ｏｎｅ　Ｇｅｎｅｒａｔｉｏｎ　Ｃｏｐｙ　Ｐｅｒｍｉｔｔｅｄ　」を示す。すなわち、値が「１０」の複製管理情報が付与されたデジタル音楽データについては、一世代に限って複製が許諾されている。例えば、値が「１０」の複製管理情報が付与されたデジタル音楽データが記録されたＣＤを所有するユーザが、該デジタル音楽データを複製して他の記録メディアに記録した場合、一世代の複製に該当する。従って、複製されたデジタル音楽データが記録されている記録メディアを所有し、利用することは許諾されているが、該記録メディアからさらに他の記録メディアへデジタル音楽データを複製することは、二世代目の複製に該当するので、許諾されない。
【０２１１】
そして、値が「０１」の複製管理情報は「Ｎｏ　Ｍｏｒｅ　Ｃｏｐｙ」を示す。従って、値が「０１」の複製管理情報が付与されたデジタル音楽データについては、それ以上の複製が禁じられる。上述の通り、値が「１０」の複製管理情報が付与されたデジタル音楽データについては、一世代に限って複製が許諾されている。このため、値が「１０」の複製管理情報が付与されたデジタル音楽データを複製した場合、複製により作成されたデジタル音楽データを、さらに他の記録メディアへ複製することは禁じられている。ところが、デジタル音楽データを複製する際に、デジタル音楽データに付加された複製管理情報ごと複製してしまうと、複製により作成されたデジタル音楽データに付与された複製管理情報は「１０」のままであり、もう一世代の複製が可能となってしまう。
【０２１２】
そこで、値が「１０」の複製管理情報が付与されたデジタル音楽データを複製する際に、複製管理情報を「１０」から「０１」に書き換えるようにすれば、複製により作成されたデジタル音楽データには、値が「０１」の複製管理情報が付与されたことになり、このデジタル音楽データをさらに複製することは禁じられる。
【０２１３】
従って、値が「０１」の複製管理情報は、かつて一世代に限って複製が許諾されていたデジタル音楽データを複製して得られたデジタル音楽データについて、それ以上の複製を禁じることを示す情報であり、値が「１０」の複製管理情報を複製して得られたデジタル音楽データに付与される。このため、本第２の実施の形態においては、値が「１１」の複製管理情報とは区別して用いる。
【０２１４】
また、配信許諾情報は、図１５に示すように、「０」または「１」の値をとる１ビットの情報であり、この配信許諾情報が付与されたデジタル音楽データの配信が許諾されているか否かを示す情報である。配信許諾情報が「０」の場合、該デジタル音楽データの著作権者等の意向により、該デジタル音楽データについてＥＭＤ等による配信が許諾されていることを示し、配信許諾情報が「１」の場合、該デジタル音楽データについてＥＭＤ等による配信が許可されていないことを示す。
【０２１５】
このように、複製管理情報および配信許諾情報を含む付加情報ヘッダをデジタル音楽データに付与することにより、わずかに８ビットの情報によって、各デジタル音楽データについて、配信が許諾されているか否か、複製が許諾されているか否かを明確に宣言することが可能となる。
なお、リザーブとなっている４ビットのデータは、配信許諾情報および複製管理情報以外の情報を付加するなど、将来の拡張に備えて確保されるものであり、その用途は特に限定されない。
【０２１６】
以上のように構成される８ビットの付加情報ヘッダは、図１１に示すデータエリアの先頭、すなわち、ＩＰヘッダのパディングに続くビットから格納される。
従って、配信システム１００を構成する各装置においては、デジタル音楽データを送受信する際に、ＩＰヘッダに続く８ビットのデータを抽出することで、デジタル音楽データに関する配信の可否、および複製の制限についての情報を得ることができる。
【０２１７】
なお、付加情報ヘッダが付加されたデジタル音楽データは、付加情報ヘッダに続くデータエリアに格納されるので、付加情報ヘッダによってデジタル音楽データが改変されるものではない。付加情報ヘッダは、データエリアの先頭部分に配置されることで、擬似的に、ＩＰヘッダに続く第２のヘッダとして処理される。
【０２１８】
ところで、図１２に示す付加情報ヘッダは、デジタル音楽データの著作権者等が指定した内容を示すものであるから、その内容が第三者によって改変されないようにする必要がある。
そこで、本第２の実施の形態における配信システム１００では、図１２に示す付加情報ヘッダを暗号化して、データエリアの先頭に格納する。
【０２１９】
詳細に説明すると、本第２の実施の形態における配信システム１００において、配信・受信・記録されるデジタル音楽データには、上記第１の実施の形態において詳細に説明した電子透かし技術を用いて、電子透かし情報が埋め込まれる。
そして、デジタル音楽データに付加情報ヘッダを付与する場合には、付加情報ヘッダが暗号化された上で付加され、暗号化された付加情報ヘッダは、該デジタル音楽データに埋め込まれている電子透かし情報をキーとしてのみ、解読することができる。
【０２２０】
このため、デジタル音楽データに電子透かし情報を検出することが可能な機器、すなわち、正規に電子透かし情報を検出するアルゴリズムを与えられた機器においては、電子透かし情報を検出し、さらに、これをキーとして付加情報ヘッダを解読することが可能である。一方、上述のように、電子透かし情報を検出するアルゴリズムを有しない機器においては、暗号化された付加情報ヘッダを解読することはできない。このため、正規に許諾を受けた機器を持たない第三者が付加情報ヘッダに含まれる配信許諾情報や複製管理情報を改変することはできない。
【０２２１】
このように、電子透かし技術を利用してデジタル音楽データに埋め込まれる情報をキーとして付加情報ヘッダを暗号化することで、正規の許諾とは無関係の第三者による付加情報ヘッダの不正な改変を防止できる。
【０２２２】
そして、電子透かし技術を利用してデジタル音楽データに埋め込むべき情報は、暗号化のキーとなる情報であれば良いので、比較的小さなデータ量で済む。従って、電子透かし情報を埋め込むことでデジタル音楽データの音質の低下を招くおそれが無く、また、電子透かし情報を埋め込む処理、および電子透かし情報を検出する処理の負担を軽減できるという利点がある。
【０２２３】
さらに、付加情報ヘッダは、デジタル音楽データの先頭に付加されるものであり、デジタル音楽データ自体を改変するものではない。従って、付加情報ヘッダを拡張して、８ビットよりも大きなサイズにしても、データエリアがわずかに長くなるだけで、デジタル音楽データの音質には一切影響を与えることが無い。このため、付加情報ヘッダにはさらに多くの情報を含ませることができ、将来の拡張によって広汎な情報に適用することが可能である。
【０２２４】
次に、本第２の実施の形態における動作を説明する。
図１６は、本第２の実施の形態における配信装置１により実行される情報付加処理を示すフローチャートである。
【０２２５】
図１６に示す処理において、ＣＰＵ１１は、まず、処理対象のデジタル音楽データに埋め込まれ、暗号解読のキーとなる電子透かし情報を生成する。ここで生成される電子透かし情報は、上記付加情報ヘッダの暗号化および解読の際にキーとなる情報である。そして、ＣＰＵ１１は、処理対象のデジタル音楽データについてＦＦＴ部１２によって高速フーリエ変換を実行させ、得られた周波数スペクトルに対して電子透かし情報を埋め込み、埋め込み後のスペクトルについてＦＦＴ部１２によって逆変換を実行させることにより、電子透かし情報をデジタル音楽データに実装する（ステップＳ１２１）。
【０２２６】
続いて、ＣＰＵ１１は、付加情報すなわち配信許諾情報および複製管理情報を付加情報ヘッダに格納するため、付加情報識別子を「１」に設定する（ステップＳ１２２）。
ここで、ＣＰＵ１１は、処理対象のデジタル音楽データについて定められた配信の可否に関する情報を取得して、取得した情報に基づいて配信許諾情報を設定する（ステップＳ１２３）。また、ＣＰＵ１１は、処理対象のデジタル音楽データについて定められた複製の制限に関する情報を取得して、取得した情報に基づいて複製管理情報を設定する（ステップＳ１２４）。
【０２２７】
そして、ＣＰＵ１１は、ステップＳ１２３で設定した配信許諾情報と、ステップＳ１２４で設定した複製管理情報とを含む付加情報ヘッダを生成し（ステップＳ１２５）、ステップＳ１２１で生成した電子透かし情報をキーとして暗号化を行う（ステップＳ１２６）。
【０２２８】
その後、ＣＰＵ１１は、暗号化された付加情報ヘッダをデジタル音楽データの先頭に付加して実装し（ステップＳ１２７）、実装されたデジタル音楽データを記憶部１４に保存して（ステップＳ１２８）、本処理を終了する。
【０２２９】
なお、図１６に示す情報付加処理の対象となるデジタル音楽データは、予め配信装置１の記憶部１４に格納されていたもの、ネットワークＮを介して配信装置１に入力されたもの、配信装置１に接続された記録メディア読み取り装置（図示略）等のその他の経路により配信装置１へ入力されたもののいずれであっても良く、その由来は問わない。
【０２３０】
また、図１６に示す情報付加処理の対象となるデジタル音楽データについて、配信の可否および複製の可否に関する情報は、例えば、対象となるデジタル音楽データが配信装置１に入力される際に、配信装置１により取得されるものとしても良い。すなわち、配信装置１に接続された記録メディア読み取り装置（図示略）からＣＰＵ１１へデジタル音楽データが入力される場合、記録メディア読み取り装置によって、読み取り対象の記録メディアがパッケージ販売される記録メディアであるか否かを判別し、パッケージ販売される記録メディアであれば、配信は許諾されないデジタル音楽データとして扱うようにしても良い。
【０２３１】
また、図１６に示す情報付加処理において付加情報ヘッダを暗号化する際には、必ずしも電子透かし情報をキーとする必要はない。すなわち、付加情報ヘッダは、電子透かし情報をキーとして解読可能な形態で暗号化されれば良いので、例えば公開鍵暗号方式のように、付加情報ヘッダを暗号化する際のキーと、付加情報ヘッダを解読する際のキーとが異なっていても良い。
【０２３２】
図１７は、配信装置１により実行される配信処理を示すフローチャートである。
図１７において、ＣＰＵ１１は、まず、ネットワークＮを介して配信しようとするデジタル音楽データについて、ＦＦＴ部１２によって高速フーリエ変換を実行させた上、得られた周波数スペクトルから、所定のアルゴリズムに基づいて電子透かし情報を抽出する（ステップＳ１３１）。
続いて、ＣＰＵ１１は、配信するデータにおいてヘッダに続くデータエリアの先頭８ビットに付加された付加情報ヘッダを、ステップＳ１３１で抽出した電子透かし情報をキーとして解読し（ステップＳ１３２）、解読に成功したか否かを判別する（ステップＳ１３３）。
【０２３３】
ステップＳ１３３で、ＣＰＵ１１は、処理対象のデジタル音楽データに電子透かし情報が含まれていない、或いは、電子透かし情報の形態が、配信システム１００で処理可能な形態と一致しない、若しくは、付加情報ヘッダを解読できない等、解読に失敗した場合には、実行中の配信処理を停止する（ステップＳ１３４）。
【０２３４】
また、処理対象のデジタル音楽データについて、データエリアの先頭８ビットに付加されたデータを解読できた場合（ステップＳ１３３；Ｙｅｓ）、ＣＰＵ１１は、解読された付加情報ヘッダの付加情報識別子を識別する（ステップＳ１３５）。
【０２３５】
ここで、付加情報識別子が「０」であった場合（ステップＳ１３６；Ｎｏ）、付加情報ヘッダに付加情報が格納されていないので、ＣＰＵ１１は、ステップＳ１３４に移行して配信処理を停止する。
【０２３６】
一方、付加情報識別子が「１」であり、付加情報ヘッダに付加情報が含まれている場合には（ステップＳ１３６；Ｙｅｓ）、ＣＰＵ１１は、付加情報ヘッダに格納される配信許諾情報の内容を識別する（ステップＳ１３７）。
【０２３７】
そして、配信許諾情報が「１」であり、配信を許諾しない旨を示す情報であった場合（ステップＳ１３８；Ｎｏ）、配信処理を継続することは適切でないので、ＣＰＵ１１は、ステップＳ１３４に移行して配信処理を停止する。また、付加情報ヘッダに格納された複製管理情報が「０」であって、配信を許諾することを示す情報であった場合（ステップＳ１３８；Ｙｅｓ）、ＣＰＵ１１は、付加情報ヘッダに格納される複製管理情報の内容を識別する（ステップＳ１３９）。
【０２３８】
ここで、付加情報ヘッダに格納された複製管理情報が「０１」であった場合（ステップＳ１４０；Ｙｅｓ）、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、ＣＰＵ１１は、ステップＳ１３４に移行して配信処理を停止する。
【０２３９】
また、複製管理情報の値が「０１」以外であった場合（ステップＳ１４０；Ｎｏ）、ＣＰＵ１１は、処理対象のデジタル音楽データを、通信制御部１７によってネットワークＮへ送信し（ステップＳ１４１）、本処理を終了する。
【０２４０】
このように、配信装置１においては、ネットワークＮを介して配信されるデジタル音楽データについては、配信の可否を示す配信許諾情報と、複製に関する制限を示す複製管理情報とを含む付加情報ヘッダをデジタル音楽データに付加し、ネットワークＮを介してデジタル音楽データを配信する際には、適正な付加情報ヘッダが付加されたデジタル音楽データのみを配信する。さらに、配信装置１は、配信が許諾されないデジタル音楽データ、および、一世代に限って複製が許諾されたデジタル音楽データを複製して得られたデジタル音楽データについては、配信を行わない。
【０２４１】
これにより、配信が許諾されていないデジタル音楽データや著作権を保護するための制限を超えたデジタル音楽データがネットワークＮへ配信されることがないので、著作権を無視してデジタル音楽データを配信する行為を防止できる。
【０２４２】
図１８は、受信装置２により実行される受信処理を示すフローチャートである。
図１８において、ＣＰＵ２１は、まず、ネットワークＮを介して受信しようとするデジタル音楽データについて、ＦＦＴ部２２によって高速フーリエ変換を実行させた上、得られた周波数スペクトルから、所定のアルゴリズムに基づいて電子透かし情報を抽出する（ステップＳ１５１）。
続いて、ＣＰＵ２１は、受信するデータにおいてヘッダに続くデータエリアの先頭８ビットに付加された付加情報ヘッダを、ステップＳ１５１で抽出した電子透かし情報をキーとして解読し（ステップＳ１５２）、解読に成功したか否かを判別する（ステップＳ１５３）。
【０２４３】
ステップＳ１５３で、ＣＰＵ２１は、処理対象のデジタル音楽データに電子透かし情報が含まれていない、或いは、電子透かし情報の形態が、配信システム１００で処理可能な形態と一致しない、若しくは、付加情報ヘッダを解読できない等、解読に失敗した場合には、実行中の受信処理を停止する（ステップＳ１５４）。
【０２４４】
また、処理対象のデジタル音楽データについて、データエリアの先頭８ビットに付加されたデータを解読できた場合（ステップＳ１５３；Ｙｅｓ）、ＣＰＵ２１は、解読された付加情報ヘッダの付加情報識別子を識別する（ステップＳ１５５）。
【０２４５】
ここで、付加情報識別子が「０」であった場合（ステップＳ１５６；Ｎｏ）、付加情報ヘッダに付加情報が格納されていないので、ＣＰＵ２１は、ステップＳ１５４に移行して受信処理を停止する。
【０２４６】
一方、付加情報識別子が「１」であり、付加情報ヘッダに付加情報が含まれている場合には（ステップＳ１５６；Ｙｅｓ）、ＣＰＵ２１は、付加情報ヘッダに格納される配信許諾情報の内容を識別する（ステップＳ１５７）。
【０２４７】
そして、配信許諾情報が「１」であり、配信を許諾しない旨を示す情報であった場合（ステップＳ１５８；Ｎｏ）、受信処理を継続することは適切でないので、ＣＰＵ２１は、ステップＳ１５４に移行して受信処理を停止する。また、付加情報ヘッダに格納された複製管理情報が「０」であって、配信を許諾することを示す情報であった場合（ステップＳ１５８；Ｙｅｓ）、ＣＰＵ２１は、付加情報ヘッダに格納される複製管理情報の内容を識別する（ステップＳ１５９）。
【０２４８】
ここで、付加情報ヘッダに格納された複製管理情報が「０１」であった場合（ステップＳ１６０；Ｙｅｓ）、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、ＣＰＵ２１は、ステップＳ１５４に移行して受信処理を停止する。
【０２４９】
また、複製管理情報の値が「０１」以外であった場合（ステップＳ１６０；Ｎｏ）、ＣＰＵ２１は、通信制御部２８によって受信した処理対象のデジタル音楽データを記憶部２４に格納し（ステップＳ１６１）、本処理を終了する。
【０２５０】
図１９は、出力装置２により実行される出力処理を示すフローチャートである。
図１９において、ＣＰＵ２１は、まず、記録装置３へ出力しようとするデジタル音楽データについて、ＦＦＴ部２２によって高速フーリエ変換を実行させた上、得られた周波数スペクトルから、所定のアルゴリズムに基づいて電子透かし情報を抽出する（ステップＳ１７１）。
続いて、ＣＰＵ２１は、出力するデータにおいてヘッダに続くデータエリアの先頭８ビットに付加された付加情報ヘッダを、ステップＳ１７１で抽出した電子透かし情報をキーとして解読し（ステップＳ１７２）、解読に成功したか否かを判別する（ステップＳ１７３）。
【０２５１】
ステップＳ１７３で、ＣＰＵ２１は、処理対象のデジタル音楽データに電子透かし情報が含まれていない、或いは、電子透かし情報の形態が、配信システム１００で処理可能な形態と一致しない、若しくは、付加情報ヘッダを解読できない等、解読に失敗した場合には、実行中の出力処理を停止する（ステップＳ１７４）。
【０２５２】
また、処理対象のデジタル音楽データについて、データエリアの先頭８ビットに付加されたデータを解読できた場合（ステップＳ１７３；Ｙｅｓ）、ＣＰＵ２１は、解読された付加情報ヘッダの付加情報識別子を識別する（ステップＳ１７５）。
【０２５３】
ここで、付加情報識別子が「０」であった場合（ステップＳ１７６；Ｎｏ）、付加情報ヘッダに付加情報が格納されていないので、ＣＰＵ２１は、ステップＳ１７４に移行して出力処理を停止する。
【０２５４】
一方、付加情報識別子が「１」であり、付加情報ヘッダに付加情報が含まれている場合には（ステップＳ１７６；Ｙｅｓ）、ＣＰＵ２１は、付加情報ヘッダに格納される配信許諾情報の内容を識別する（ステップＳ１７７）。
【０２５５】
そして、配信許諾情報が「１」であり、配信を許諾しない旨を示す情報であった場合（ステップＳ１７８；Ｎｏ）、出力処理を継続することは適切でないので、ＣＰＵ２１は、ステップＳ１７４に移行して出力処理を停止する。また、付加情報ヘッダに格納された複製管理情報が「０」であって、配信を許諾することを示す情報であった場合（ステップＳ１７８；Ｙｅｓ）、ＣＰＵ２１は、付加情報ヘッダに格納される複製管理情報の内容を識別する（ステップＳ１７９）。
【０２５６】
ここで、付加情報ヘッダに格納された複製管理情報が「０１」であった場合（ステップＳ１８０；Ｙｅｓ）、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、記録装置３によって他の記録メディアに記録することは適切ではない。このため、ＣＰＵ２１は、ステップＳ１７４に移行して出力処理を停止する。
【０２５７】
また、付加情報ヘッダに格納された複製管理情報が「１１」であった場合、処理対象のデジタル音楽データは複製が禁じられているので、記録装置３によって他の記録メディアに記録することは適切ではない。このため、ＣＰＵ２１は、ステップＳ１７４に移行して出力処理を停止する。
【０２５８】
また、複製管理情報の値が「０１」および「１１」以外の値であった場合（ステップＳ１８０；Ｎｏ）、ＣＰＵ２１は、処理対象のデジタル音楽データを記録装置３へ出力し（ステップＳ１８１）、本処理を終了する。
【０２５９】
図２０は、受信装置２により実行される再生出力処理を示すフローチャートである。
図２０において、ＣＰＵ２１は、まず、再生装置４へ出力しようとするデジタル音楽データについて、ＦＦＴ部２２によって高速フーリエ変換を実行させた上、得られた周波数スペクトルから、所定のアルゴリズムに基づいて電子透かし情報を抽出する（ステップＳ１９１）。
続いて、ＣＰＵ２１は、出力するデータにおいてヘッダに続くデータエリアの先頭８ビットに付加された付加情報ヘッダを、ステップＳ１９１で抽出した電子透かし情報をキーとして解読し（ステップＳ１９２）、解読に成功したか否かを判別する（ステップＳ１９３）。
【０２６０】
ステップＳ１９３で、ＣＰＵ２１は、処理対象のデジタル音楽データに電子透かし情報が含まれていない、或いは、電子透かし情報の形態が、配信システム１００で処理可能な形態と一致しない、若しくは、付加情報ヘッダを解読できない等、解読に失敗した場合には、実行中の再生出力処理を停止する（ステップＳ１９４）。
【０２６１】
また、処理対象のデジタル音楽データについて、データエリアの先頭８ビットに付加されたデータを解読できた場合（ステップＳ１９３；Ｙｅｓ）、ＣＰＵ２１は、解読された付加情報ヘッダの付加情報識別子を識別する（ステップＳ１９５）。
【０２６２】
ここで、付加情報識別子が「０」であった場合（ステップＳ１９６；Ｎｏ）、付加情報ヘッダに付加情報が格納されていないので、ＣＰＵ２１は、ステップＳ１９４に移行して再生出力処理を停止する。
【０２６３】
一方、付加情報識別子が「１」であり、付加情報ヘッダに付加情報が含まれている場合には（ステップＳ１９６；Ｙｅｓ）、ＣＰＵ２１は、付加情報ヘッダに格納される配信許諾情報の内容を識別する（ステップＳ１９７）。
【０２６４】
そして、配信許諾情報が「１」であり、配信を許諾しない旨を示す情報であった場合（ステップＳ１９８；Ｎｏ）、再生出力処理を継続することは適切でないので、ＣＰＵ２１は、ステップＳ１９４に移行して再生出力処理を停止する。また、付加情報ヘッダに格納された複製管理情報が「０」であって、配信を許諾することを示す情報であった場合（ステップＳ１９８；Ｙｅｓ）、ＣＰＵ２１は、付加情報ヘッダに格納される複製管理情報の内容を識別する（ステップＳ１９９）。
【０２６５】
ここで、付加情報ヘッダに格納された複製管理情報が「０１」であった場合（ステップＳ２００；Ｙｅｓ）、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、これを再生装置４によって再生して利用することは適切でない。このため、ＣＰＵ２１は、ステップＳ１９４に移行して再生出力処理を停止する。
【０２６６】
また、複製管理情報の値が「０１」以外であった場合（ステップＳ２００；Ｎｏ）、ＣＰＵ２１は、処理対象のデジタル音楽データを再生装置４へ出力し（ステップＳ２０１）、本処理を終了する。
【０２６７】
このように、受信装置２においては、ネットワークＮを介して受信したデジタル音楽データについて付加された付加情報ヘッダを解読して、該デジタル音楽データについての配信の可否と複製に関する制限を判別し、配信が許諾されないデジタル音楽データ、および、一世代に限って複製が許諾されたデジタル音楽データを複製して得られたデジタル音楽データについては、受信しない。
【０２６８】
これにより、配信が許諾されていないデジタル音楽データや著作権を保護するための制限を超えたデジタル音楽データがネットワークＮへ配信されることがないので、著作権を無視してデジタル音楽データを配信する行為を防止できる。
【０２６９】
また、受信装置２は、デジタル音楽データを記録用メディアドライブ３１によって記録するためにデジタル音楽データを記録装置３へ出力する場合、配信の可否を示す配信許諾情報と、複製に関する制限を示す複製管理情報とを含む適正な付加情報ヘッダが付加された上、配信および複製が許諾されたデジタル音楽データのみを出力する。
【０２７０】
これにより、配信許諾情報および複製管理情報によって、ネットワークＮを介した配信および複製が正規に許諾されていないデジタル音楽データが記録メディア等に記録されることがなく、著作権を無視してデジタル音楽データを配信し、複製する行為を防止できる
【０２７１】
さらに、受信装置２は、デジタル音楽データを再生するためにデジタル音楽データを再生装置４へ出力する場合、配信の可否を示す配信許諾情報と、複製に関する制限を示す複製管理情報とを含む適正な付加情報ヘッダが付加されたデジタル音楽データのみを出力するが、配信が許諾されていないデジタル音楽データや、一世代に限って複製が許諾されたデジタル音楽データを複製して得られたデジタル音楽データは出力しない。
【０２７２】
これにより、配信が許諾されていないデジタル音楽データや著作権を保護するための制限を超えたデジタル音楽データが利用されることがないので、著作権を無視してデジタル音楽データを利用する行為を防止できる。
【０２７３】
図２１は、受信・記録装置５により実行される受信処理を示すフローチャートである。
図２１において、ＣＰＵ５１は、まず、ネットワークＮを介して受信しようとするデジタル音楽データについて、ＦＦＴ部５２によって高速フーリエ変換を実行させた上、得られた周波数スペクトルから、所定のアルゴリズムに基づいて電子透かし情報を抽出する（ステップＳ２１１）。
続いて、ＣＰＵ５１は、受信するデータにおいてヘッダに続くデータエリアの先頭８ビットに付加された付加情報ヘッダを、ステップＳ２１１で抽出した電子透かし情報をキーとして解読し（ステップＳ２１２）、解読に成功したか否かを判別する（ステップＳ２１３）。
【０２７４】
ステップＳ２１３で、ＣＰＵ５１は、処理対象のデジタル音楽データに電子透かし情報が含まれていない、或いは、電子透かし情報の形態が、配信システム１００で処理可能な形態と一致しない、若しくは、付加情報ヘッダを解読できない等、解読に失敗した場合には、実行中の受信処理を停止する（ステップＳ２１４）。
【０２７５】
また、処理対象のデジタル音楽データについて、データエリアの先頭８ビットに付加されたデータを解読できた場合（ステップＳ２１３；Ｙｅｓ）、ＣＰＵ５１は、解読された付加情報ヘッダの付加情報識別子を識別する（ステップＳ２１５）。
【０２７６】
ここで、付加情報識別子が「０」であった場合（ステップＳ２１６；Ｎｏ）、付加情報ヘッダに付加情報が格納されていないので、ＣＰＵ５１は、ステップＳ２１４に移行して受信処理を停止する。
【０２７７】
一方、付加情報識別子が「１」であり、付加情報ヘッダに付加情報が含まれている場合には（ステップＳ２１６；Ｙｅｓ）、ＣＰＵ５１は、付加情報ヘッダに格納される配信許諾情報の内容を識別する（ステップＳ２１７）。
【０２７８】
そして、配信許諾情報が「１」であり、配信を許諾しない旨を示す情報であった場合（ステップＳ２１８；Ｎｏ）、受信処理を継続することは適切でないので、ＣＰＵ５１は、ステップＳ２１４に移行して受信処理を停止する。また、付加情報ヘッダに格納された複製管理情報が「０」であって、配信を許諾することを示す情報であった場合（ステップＳ２１８；Ｙｅｓ）、ＣＰＵ５１は、付加情報ヘッダに格納される複製管理情報の内容を識別する（ステップＳ２１９）。
【０２７９】
ここで、付加情報ヘッダに格納された複製管理情報が「０１」であった場合（ステップＳ２２０；Ｙｅｓ）、処理対象のデジタル音楽データは、値が「１０」の複製管理情報が付加されたデジタル音楽データを複製して得られたデジタル音楽データである。すなわち、一世代に限って複製が許諾されたデジタル音楽データを複製して得られるデジタル音楽データであるから、これ以上の複製が禁じられる上、一般的に頒布や譲渡は禁じられているので、記録用メディアドライブ５９によって他の記録メディアに記録することは適切ではない。このため、ＣＰＵ５１は、ステップＳ２１４に移行して受信処理を停止する。
【０２８０】
また、付加情報ヘッダに格納された複製管理情報が「１１」であった場合、処理対象のデジタル音楽データは複製が禁じられているので、記録用メディアドライブ５９によって他の記録メディアに記録することは適切ではない。このため、ＣＰＵ５１は、ステップＳ２１４に移行して受信処理を停止する。
【０２８１】
また、複製管理情報の値が「０１」および「１１」以外の値であった場合（ステップＳ２２０；Ｎｏ）、ＣＰＵ５１は、受信したデジタル音楽データを記憶部５４に格納するとともに記録用メディアドライブ５９によって所定の記録メディアに記録し（ステップＳ２２１）、本処理を終了する。
【０２８２】
このように、受信・記録装置５においては、ネットワークＮを介してデジタル音楽データを受信する際に、配信の可否を示す配信許諾情報と、複製に関する制限を示す複製管理情報とを含む適正な付加情報ヘッダが付加されたデジタル音楽データのみを受信する。さらに、受信・記録装置５は、配信が許諾されたデジタル音楽データであって、かつ、複製が許諾されたデジタル音楽データのみを受信する。
【０２８３】
これにより、配信許諾情報および複製管理情報によって、ネットワークＮを介した配信および複製が正規に許諾されていないデジタル音楽データが記録メディア等に記録されることがなく、著作権を無視してデジタル音楽データを配信し、複製する行為を防止できる。
【０２８４】
なお、受信・記録装置５において、受信したデジタル音楽データを記録用メディアドライブ５９によって記録する処理については、デジタル音楽データを記憶部５４に一時的に格納した後、時間をおいて実行することも勿論可能である。
【０２８５】
以上のように、本発明を適用した第２の実施の形態における配信システム１００によれば、デジタル音楽データを配信する配信装置１によって、ネットワークＮを介して配信されるデジタル音楽データに対し、ヘッダに続く先頭位置に付加情報ヘッダを付加する。この付加情報ヘッダには、配信の可否を示す配信許諾情報が格納されており、配信装置１は、配信が許諾されていることを示す配信許諾情報が付加されたデジタル音楽データのみを配信する。また、デジタル音楽データを受信する受信装置２および受信・記録装置５においては、配信が許諾されていることを示す配信許諾情報が付加されたデジタル音楽データのみが受信される。
【０２８６】
すなわち、デジタル音楽データについて、配信が許諾されているか否かが明確に宣言されているため、配信が許諾されていないデジタル音楽データがネットワークＮを介して配信されることがなく、著作権を無視したデジタル音楽データの配信を防止できる。
【０２８７】
また、配信システム１００において、デジタル音楽データに付加される付加情報ヘッダには、複製の制限を示す複製管理情報が格納されている。そして、配信装置１、受信装置２および受信・記録装置５においては、複製管理情報に基づいてデジタル音楽データの配信、受信および記録が行われる。
【０２８８】
すなわち、一世代に限って複製が許諾されたデジタル音楽データが複製されて得られたデジタル音楽データについては、配信装置１による配信が行われず、さらに、受信装置２および受信・記録装置５による受信も行われない。これにより、一世代に限って複製が許諾されたデジタル音楽データが何度も複製され、利用されるのを防止できる。
【０２８９】
また、複製が許諾されていないデジタル音楽データについては、配信装置１によってネットワークＮを介して配信され、受信装置２によって受信されるが、受信装置２から記録装置３に出力されることがない。また、受信・記録装置５は、複製が許諾されていないデジタル音楽データを受信しない。これにより、複製が許諾されていないデジタル音楽データの利用は、あくまで再生出力を目的とした利用に限られ、制限を無視して複製されることが無い。
【０２９０】
従って、著作権者の意向等に基づいて、配信許諾情報および複製管理情報をデジタル音楽データに付加することによって、著作権を無視したデジタル音楽データの配信や複製を防止することが可能となる。
【０２９１】
なお、上記第２の実施の形態においては、付加情報ヘッダをＩＰヘッダに続くデータエリアの先頭に格納するものとしたが、本発明はこれに限定されるものではない。例えば、ＩＰヘッダに続いてより下位のプロトコルに係るヘッダが付与される場合、全てのプロトコルヘッダの末端に続けて、付加情報ヘッダを格納するようにしても良く、また、配信システム１００で使用するプロトコルはＩＰプロトコルに限定されず、任意のプロトコルを利用することが可能である。
【０２９２】
また、上記第２の実施の形態において、付加情報ヘッダは、ヘッダに続くデータエリアの先頭に付加されるものとしたが、ヘッダ自体を利用して付加情報ヘッダを付加することも可能である。以下、この例について説明する。
【０２９３】
図１１に示すＩＰヘッダにおいて、オプションは、その長さが可変長であり、セキュリティラベル、ソースルート、ルートレコード、タイムスタンプ等が格納され、テストやデバッグの際に利用される。
【０２９４】
オプションの形式としては２つの形式があり、１つはオプションタイプの単一オクテットで構成され、もう１つはオプションタイプオクテット、オプション長さオクテット、および実際のオプションデータ値により構成される。
ここで、後者の例について、その構成例を図２２に示す。
【０２９５】
図２２は、図１１に示すＩＰヘッダにおけるオプションの構成例を示す図である。図２２に示す例では、８ビットのオプションタイプと８ビットのオプション長さの後に、実際のオプションデータとして８ビットのデータが格納されている。このうち、８ビットのオプションタイプは、コピーフラグ（１ビット）、オプションクラス（２ビット）、オプション数（５ビット）の３つのフィールドより構成される。
【０２９６】
このうち、コピーフラグは、このオプションが分割された全てのフラグメントにコピーされるか否かを示し、「０」は「コピーする」旨を示し、「１」は「コピーしない」旨を示す。また、オプションクラスとしては４つの値が定義されており、「０」は制御、「２」はデバッグと計測に割り当てられ、「１」および「３」は将来の使用のために予約されている。
【０２９７】
ここで、既に定義されているインターネットオプションの例を、図２３に示す。
例えば、クラス「０」、オプション数「０」のオプションは、オプションリストの最終を示すものである。このオプションは長さオクテットを持たず、配信装置１オクテットのみ使用する。
【０２９８】
また、例えば、クラス「０」、オプション数「２」、オプション長さ「１１」のオプションとして、セキュリティオプションが定義されている。このオプションは、セキュリティ、コンパートメント、ユーザグループ、ＤＯＤ要件互換の制限コード操作を送信するために使用される。
【０２９９】
さらに、特定のオプションとして、図２４に示すオプションが定義されている。例えば、「００００００００」はオプションリストの最終を示すオプションであり、「０００００００１」は「処理無し」を示すオプションとして定義されている。
【０３００】
このように、ＩＰヘッダのオプションは可変長であり、様々な情報を格納することが可能である。従って、図１２に示す付加情報ヘッダと同様の情報をオプションに格納することも可能である。
【０３０１】
すなわち、図２３および図２４に示すような定義済みのオプションと重複することなく、オプション長さを可変長若しくは未定義として、図１５の配信許諾情報を示す１ビットの情報と、図１４の複製管理情報を示す２ビットの情報とをヘッダに付加すれば良い。
これにより、デジタル音楽データが格納されるデータエリアに影響を与えることなく、配信許諾情報および複製管理情報を付加することができる。
【０３０２】
なお、プロトコルヘッダのオプションとして付加情報ヘッダを付加する手法は、ＩＰヘッダに限られず、例えばＴＣＰヘッダ等のその他のプロトコルにおいても、オプションとして確保されているエリアを利用すれば適用可能である。
【０３０３】
また、プロトコルヘッダのオプションだけでなく、ヘッダ中でリザーブされているエリアに新たなビット配列を設けることにより、配信許諾情報および複製管理情報を示す情報を付加することも可能である。
【０３０４】
【発明の効果】
本発明によれば、コンテンツデータに付加された情報によって、コンテンツデータの配信が許諾されているか否かが明確に宣言されているため、配信が許諾されていないコンテンツデータが配信されることがなく、著作権を無視したデジタル音楽データの配信を防止できる。また、コンテンツデータに、複製の制限に関する情報が付加されることにより、著作権者等による複製の制限に反してコンテンツデータが複製されることがなく、著作権を無視したデジタル音楽データの複製を防止できる。
【図面の簡単な説明】
【図１】本発明を適用した第１の実施の形態における配信システム１００の機能的構成を示す図である。
【図２】図１の配信装置１の構成を示すブロック図である。
【図３】図１の受信装置２の構成を示すブロック図である。
【図４】図１受信・記録装置５の構成を示すブロック図である。
【図５】図１の配信装置１により実行される情報付加処理を示すフローチャートである。
【図６】図１の配信装置１により実行される配信処理を示すフローチャートである。
【図７】図１の受信装置２によって実行される受信処理を示すフローチャートである。
【図８】図１の受信装置２によって実行される出力処理を示すフローチャートである。
【図９】図１の受信装置２によって実行される再生出力処理を示すフローチャートである。
【図１０】図１の受信・記録装置５によって実行される受信処理を示すフローチャートである。
【図１１】本発明を適用した第２の実施の形態における配信システム１００において利用されるヘッダの一例として、ＩＰヘッダの構成を示す図である。
【図１２】本発明を適用した第２の実施の形態における配信システム１００において利用される付加情報ヘッダの構成を示す図である。
【図１３】図１２に示す付加情報ヘッダに含まれる付加情報識別子の内容を示す図表である。
【図１４】図１２に示す付加情報ヘッダに含まれる複製管理情報の内容を示す図表である。
【図１５】図１２に示す付加情報ヘッダに含まれる配信許諾情報の内容を示す図表である。
【図１６】本第２の実施の形態における配信装置１により実行される情報付加処理を示すフローチャートである。
【図１７】本第２の実施の形態における配信装置１により実行される配信処理を示すフローチャートである。
【図１８】本第２の実施の形態における受信装置２により実行される受信処理を示すフローチャートである。
【図１９】本第２の実施の形態における受信装置２により実行される出力処理を示すフローチャートである。
【図２０】本第２の実施の形態における受信装置２により実行される再生出力処理を示すフローチャートである。
【図２１】本第２の実施の形態における受信・記録装置５により実行される受信処理を示すフローチャートである。
【図２２】図１１に示すＩＰヘッダにおけるオプションの構成例を示す図である。
【図２３】既に定義されているインターネットオプションの例を示す図表である。
【図２４】既に定義されている特定のオプションの例を示す図表である。
【符号の説明】
１００　配信システム
１　配信装置
２　受信装置
３　記録装置
３１　記録用メディアドライブ
４　再生装置
５　受信・記録装置
Ｎ　ネットワーク
１１，２１，５１　ＣＰＵ
１２，２２，５２　ＦＦＴ部
１３，２３，５３　ＲＡＭ
１４，２４，５４　記憶部
１５，２５，５５　記憶媒体
１６，２６，５７　入力部
１７，２８，５６　通信制御部
１８，２９，６０　バス
２７，５８　表示部
５９　記録用メディアドライブ
【図１】
2004139248.tif 000005
【図２】
2004139248.tif 000006
【図３】
2004139248.tif 000007
【図４】
2004139248.tif 000008
【図５】
2004139248.tif 000009
【図６】
2004139248.tif 000010
【図７】
2004139248.tif 000011
【図８】
2004139248.tif 000012
【図９】
2004139248.tif 000013
【図１０】
2004139248.tif 000014
【図１１】
2004139248.tif 000015
【図１２】
2004139248.tif 000016
【図１３】
2004139248.tif 000017
【図１４】
2004139248.tif 000018
【図１５】
2004139248.tif 000019
【図１６】
2004139248.tif 000020
【図１７】
2004139248.tif 000021
【図１８】
2004139248.tif 000022
【図１９】
2004139248.tif 000023
【図２０】
2004139248.tif 000024
【図２１】
2004139248.tif 000025
【図２２】
2004139248.tif 000026
【図２３】
2004139248.tif 000027
【図２４】
2004139248.tif 000028